(57)【特許請求の範囲】
【請求項１】
電話機および通信機と通信するための通信手段と、
前記電話機から着呼の要求を受けた場合の着呼の要求を受けている旨の情報の送信先を表わす情報を記憶するための記憶手段と、
前記通信手段が受信した情報により、前記電話機から着呼の要求を受けているか否かを判断するための第１の判断手段と、
前記電話機から着呼の要求を受けている場合、前記記憶手段が記憶した情報に応じて、前記通信機に対し、前記電話機から着呼の要求を受けている旨の情報を送信するように、前記通信手段を制御するための第１の制御手段と、
前記通信手段が通信機から着呼に応じる旨の情報を受信すると、通話を開始するために必要な情報を通信するように、前記通信手段を制御するための第２の制御手段と、
前記通信手段が受信した情報により、前記電話機が着呼の要求を中止したか否かを判断するための第２の判断手段と、
前記電話機が着呼の要求を中止すると、着呼の要求を受けている旨の情報の送信先となる少なくとも１台の通信機の組が、前記電話機が着呼の要求を中止する前とは異なる組となるように、前記記憶手段が記憶する情報を更新するための更新手段とを含み、
前記第１の判断手段は、前記通信手段が受信した情報により、前記電話機から複数の電話番号のうち予め定められた電話番号について着呼の要求を受けているか否かを判断し、
前記更新手段は、前記通信手段が通信機から着呼に応じる旨の情報を受信する前に、前記電話機が前記予め定められた電話番号についての着呼の要求を中止すると、前記記憶手段が記憶する情報を更新する、中継装置。
【請求項２】
電話機および通信機と通信するための通信手段と、
前記電話機から着呼の要求を受けた場合の着呼の要求を受けている旨の情報の送信先を表わす情報を記憶するための記憶手段と、
前記通信手段が受信した情報により、前記電話機から着呼の要求を受けているか否かを判断するための第１の判断手段と、
前記電話機から着呼の要求を受けている場合、前記記憶手段が記憶した情報に応じて、前記通信機に対し、前記電話機から着呼の要求を受けている旨の情報を送信するように、前記通信手段を制御するための第１の制御手段と、
前記通信手段が通信機から着呼に応じる旨の情報を受信すると、通話を開始するために必要な情報を通信するように、前記通信手段を制御するための第２の制御手段と、
前記通信手段が受信した情報により、前記電話機が着呼の要求を中止したか否かを判断するための第２の判断手段と、
前記電話機が着呼の要求を中止すると、着呼の要求を受けている旨の情報の送信先となる少なくとも１台の通信機の組が、前記電話機が着呼の要求を中止する前とは異なる組となるように、前記記憶手段が記憶する情報を更新するための更新手段とを含み、
前記第１の判断手段は、前記通信手段が受信した情報により、前記電話機から複数の電話番号のうち予め定められた電話番号についての着呼の要求を受けているか否かを判断し、
前記電話機から複数の電話番号のうち予め定められた電話番号についての着呼の要求を受けている場合、所定の期間、前記通信機が着呼の要求を受けている旨の情報を出力することを制限するための制限手段をさらに含む、中継装置。
【発明の詳細な説明】
【技術分野】
【０００１】
本発明は、中継装置、通信システム、中継プログラム、および中継プログラムを記録したコンピュータ読取り可能な記録媒体に関し、特に、公衆電話回線と接続される中継装置、通信システム、中継プログラム、および中継プログラムを記録したコンピュータ読取り可能な記録媒体に関する。
【背景技術】
【０００２】
特許文献１は、標準電波塔からの、正確な時刻を表わす標準電波を受信し、正確な時刻を割り出す発信側の電波受信部と、発信側の電波受信部からの時刻情報に基づき電話を開始する発呼部と、受信側に配置された電波受信部と、あらかじめ設定された時刻を記憶している記憶部が記憶した時刻を比較し、設定された時刻内であれば電話回線を通常着信先から自動検針器などの識別着信先に切換える切替部からなり、正確に設定時刻にのみ電話回線を識別着信先に切換えるようにしたことを特徴とする中継装置を開示する。
【０００３】
特許文献１に開示された発明によると、特別な電話回線サービスに依存することなく識別着信を行なうことができる。
【特許文献１】特開２００３−３１９０８９号公報
【発明の開示】
【発明が解決しようとする課題】
【０００４】
しかし、特許文献１に開示された発明では、以下の問題点がある。第１の問題点は、既存の電話機からの発信ができない点である。既存の電話機からの発信ができないのは、発信側および着信側において正確な時刻を取得するために、発信用の電話機および中継装置に電波時計を設ける必要があるためである。第２の問題点は、任意のタイミングで識別着信を行なうことができない点である。任意のタイミングで識別着信を行なうことができないのは、あらかじめ中継装置に設定された時刻にのみ識別着信するためである。
【０００５】
本発明は上述の問題点を解決するためになされたものであって、その目的は、汎用の電話機からの発呼に対して発呼の時刻に関わらず識別着信を実現する中継装置、通信システム、中継プログラム、および中継プログラムを記録したコンピュータ読取り可能な記録媒体を提供することにある。
【課題を解決するための手段】
【０００６】
上記目的を達成するために、本発明のある局面に従うと、中継装置は、通信手段と、記憶手段と、第１の判断手段と、第１の制御手段と、第２の制御手段と、第２の判断手段と、更新手段とを含む。通信手段は、電話機および通信機と通信する。記憶手段は、電話機から着呼の要求を受けた場合の着呼の要求を受けている旨の情報の送信先を表わす情報を記憶する。第１の判断手段は、通信手段が受信した情報により、電話機から着呼の要求を受けているか否かを判断する。第１の制御手段は、電話機から着呼の要求を受けている場合、記憶手段が記憶した情報に応じて、通信機に対し、電話機から着呼の要求を受けている旨の情報を送信するように、通信手段を制御する。第２の制御手段は、通信手段が通信機から着呼に応じる旨の情報を受信すると、通話を開始するために必要な情報を通信するように、通信手段を制御する。第２の判断手段は、通信手段が受信した情報により、電話機が着呼の要求を中止したか否かを判断する。更新手段は、電話機が着呼の要求を中止すると、着呼の要求を受けている旨の情報の送信先となる少なくとも１台の通信機の組が、電話機が着呼の要求を中止する前とは異なる組となるように、記憶手段が記憶する情報を更新する。
【０００７】
また、上述の通信手段は、第１の手段と、第２の手段とを含むことが望ましい。第１の手段は、電話機と通信する。第２の手段は、通信機と通信する。併せて、第１の判断手段は、第１の手段が受信した情報により、電話機から着呼の要求を受けているか否かを判断するための手段を含むことが望ましい。第１の制御手段は、電話機から着呼の要求を受けている場合、記憶手段が記憶した情報に応じて、通信機に対し、電話機から着呼の要求を受けている旨の情報を送信するように、第２の手段を制御するための手段を含むことが望ましい。第２の制御手段は、第２の手段が通信機から着呼に応じる旨の情報を受信すると、通話を開始するために必要な情報を通信するように、第１の手段および第２の手段を制御するための手段を含むことが望ましい。第２の判断手段は、第１の手段が受信した情報により、電話機が着呼の要求を中止したか否かを判断するための手段を含むことが望ましい。更新手段は、電話機が着呼の要求を中止すると、着呼の要求を受けている旨の情報の送信先となる少なくとも１台の通信機の組が、電話機が着呼の要求を中止する前とは異なる組となるように、記憶手段が記憶する情報を更新するための手段を含むことが望ましい。
【０００８】
また、上述の更新手段は、所定の期間が経過する前に、電話機が着呼の要求を中止すると、記憶手段が記憶する情報を更新するための手段を含むことが望ましい。
【０００９】
また、上述の記憶手段が記憶する情報を更新するための手段は、所定の単位時間に所定の整数を乗じた長さの期間が経過する前に、電話機が着呼の要求を中止すると、記憶手段が記憶する情報を更新するための手段を含むことが望ましい。
【００１０】
また、上述の更新手段は、電話機から着呼の要求を受けている期間が所定の長さ以上となった後に、電話機が着呼の要求を中止すると、記憶手段が記憶する情報を更新するための手段を含むことが望ましい。
【００１１】
また、記憶手段が記憶する情報を更新するための手段は、電話機から着呼の要求を受けている期間が、所定の単位時間に所定の整数を乗じた長さの期間以上となった後に、電話機が着呼の要求を中止すると、記憶手段が記憶する情報を更新するための手段を含むことが望ましい。
【００１２】
また、上述の中継装置は、計測手段と、変更手段とをさらに含むことが望ましい。計測手段は、電話機が着呼の要求を中止した時からの時間の経過を計測する。変更手段は、電話機が着呼の要求を中止した時からの時間が閾値を越えると、着呼の要求を受けている旨の情報の送信先が所定の通信機となるように、記憶手段が記憶する情報を変更する。
【００１３】
また、上述の第１の判断手段は、第１の手段が受信した情報により、電話機から複数の電話番号のうち予め定められた電話番号について着呼の要求を受けているか否かを判断するための手段を含むことが望ましい。併せて、更新手段は、第２の手段が通信機から着呼に応じる旨の情報を受信する前に、電話機が予め定められた電話番号について着呼の要求を中止すると、記憶手段が記憶する情報を更新するための手段を含むことが望ましい。
【００１４】
また、上述の中継装置は、電話機から着呼の要求を受けている期間の長さが所定の長さを超えると、電話機に、電話機との通話を開始するために必要な情報と第２の手段が受信した情報とを送信するように、第１の手段を制御するための手段をさらに含むことが望ましい。併せて、更新手段は、電話機から着呼の要求を受けている期間の長さが所定の長さを超える前に電話機が着呼の要求を中止すると、記憶手段が記憶する情報を更新するための手段を含むことが望ましい。
【００１５】
また、上述の第１の判断手段は、第１の手段が受信した情報により、電話機から複数の電話番号のうち予め定められた電話番号についての着呼の要求を受けているか否かを判断するための手段を含むことが望ましい。併せて、中継装置は、電話機から複数の電話番号のうち予め定められた電話番号についての着呼の要求を受けている場合、所定の期間、通信機が着呼の要求を受けている旨の情報を出力することを制限するための制限手段をさらに含むことが望ましい。
【００１６】
また、上述の第１の判断手段は、通信手段が受信した情報により、所定の電話機から着呼の要求を受けているか否かを判断するための手段を含むことが望ましい。第１の制御手段は、所定の電話機から着呼の要求を受けている場合、記憶手段が記憶した情報に応じて、通信機に対し、所定の電話機から着呼の要求を受けている旨の情報を送信するように、通信手段を制御するための手段を含むことが望ましい。第２の判断手段は、通信手段が受信した情報により、所定の電話機が着呼の要求を中止したか否かを判断するための手段を含むことが望ましい。更新手段は、所定の電話機が着呼の要求を中止すると、着呼の要求を受けている旨の情報の送信先となる少なくとも１台の通信機の組が、所定の電話機が着呼の要求を中止する前とは異なる組となるように、記憶手段が記憶する情報を更新するための手段を含むことが望ましい。
【００１７】
また、上述の通信手段を制御するための手段は、所定の電話機から着呼の要求を受け、かつ所定の期間が経過した場合、所定の電話機から着呼の要求を受けている旨の情報を送信するように、通信手段を制御するための手段を含むことが望ましい。
【００１８】
本発明の他の局面に従うと、通信システムは、中継装置と通信機とを含む。中継装置は、通信手段と、記憶手段と、第１の判断手段と、第１の制御手段と、第２の制御手段と、第２の判断手段と、更新手段とを含む。通信手段は、電話機および通信機と通信する。記憶手段は、電話機から着呼の要求を受けた場合の着呼の要求を受けている旨の情報の送信先を表わす情報を記憶する。第１の判断手段は、通信手段が受信した情報により、電話機から着呼の要求を受けているか否かを判断する。第１の制御手段は、電話機から着呼の要求を受けている場合、記憶手段が記憶した情報に応じて、通信機に対し、電話機から着呼の要求を受けている旨の情報を送信するように、通信手段を制御する。第２の制御手段は、通信手段が通信機から着呼に応じる旨の情報を受信すると、通話を開始するために必要な情報を通信するように、通信手段を制御する。第２の判断手段は、通信手段が受信した情報により、電話機が着呼の要求を中止したか否かを判断する。更新手段は、電話機が着呼の要求を中止すると、着呼の要求を受けている旨の情報の送信先となる少なくとも１台の通信機の組が、電話機が着呼の要求を中止する前とは異なる組となるように、記憶手段が記憶する情報を更新する。通信機は、通信手段と、受付手段と、出力手段とを含む。通信手段は、中継装置と通信する。受付手段は、通信手段が送信する情報を受付ける。出力手段は、通信手段が受信した情報を出力する。
【００１９】
また、上述の受付手段は、撮像により、画像を表わす情報を受付けるための手段を含むことが望ましい。通信機の通信手段は、着呼に応じる旨の情報を送信した後、画像を表わす情報を送信するための手段を含むことが望ましい。
【００２０】
また、上述の受付手段は、撮像により、画像を表わす情報を受付けるための手段と、音声を表わす情報を受付けるための手段とを含むことが望ましい。また、上述の中継装置は、画像を表わす情報および音声を表わす情報のうち、送信する情報を表わす情報を記憶するための手段と、着呼に応じる旨の情報を受信した後、送信する情報を表わす情報に応じて、画像を表わす情報および音声を表わす情報の少なくとも一方を送信するように、通信手段を制御するための手段とをさらに含むことが望ましい。
【００２１】
また、上述の受付手段は、撮像により、画像を表わす情報を受付けるための手段と、音声を表わす情報を受付けるための手段とを含むことが望ましい。また、上述の通信機は、画像を表わす情報および音声を表わす情報のうち、送信する情報を表わす情報を記憶するための手段と、送信する情報を表わす情報に応じて、画像を表わす情報および音声を表わす情報の少なくとも一方を送信するように、前記通信手段を制御するための手段とをさらに含むことが望ましい。
【００２２】
本発明の他の局面に従うと、中継プログラムは、第１の通信ステップと、記憶ステップと、第２の通信ステップと、第１の判断ステップと、第１の制御ステップと、第２の制御ステップと、第２の判断ステップと、更新ステップとを含む各ステップをコンピュータに実行させるための中継プログラムである。第１の通信ステップは、電話機と通信する。記憶ステップは、電話機から着呼の要求を受けた場合に着呼の要求を受けている旨の情報の送信先を表わす情報を記憶する。第２の通信ステップは、通信機と通信する。第１の判断ステップは、第１の通信ステップにおいて受信した情報により、電話機から着呼の要求を受けているか否かを判断する。第１の制御ステップは、電話機から着呼の要求を受けている場合、記憶ステップにおいて記憶した情報に応じて、通信機に対し、電話機から着呼の要求を受けている旨の情報を送信するように、第２の通信ステップを制御する。第２の制御ステップは、第２の通信ステップにおいて通信機から着呼に応じる旨の情報を受信すると、通話を開始するために必要な情報を通信するように、第１の通信ステップおよび第２の通信ステップを制御する。第２の判断ステップは、第１の通信ステップにおいて受信した情報により、電話機が着呼の要求を中止したか否かを判断する。更新ステップは、電話機が着呼の要求を中止すると、着呼の要求を受けている旨の情報の送信先となる少なくとも１台の通信機の組が、電話機が着呼の要求を中止する前とは異なる組となるように、記憶ステップにおいて記憶する情報を更新する。
【００２３】
本発明の他の局面に従うと、記録媒体は、中継プログラムを記録したコンピュータ読取り可能な記録媒体である。中継プログラムは、第１の通信ステップと、記憶ステップと、第２の通信ステップと、第１の判断ステップと、第１の制御ステップと、第２の制御ステップと、第２の判断ステップと、更新ステップとを含む各ステップをコンピュータに実行させる。第１の通信ステップは、電話機と通信する。記憶ステップは、電話機から着呼の要求を受けた場合に着呼の要求を受けている旨の情報の送信先を表わす情報を記憶する。第２の通信ステップは、通信機と通信する。第１の判断ステップは、第１の通信ステップにおいて受信した情報により、電話機から着呼の要求を受けているか否かを判断する。第１の制御ステップは、電話機から着呼の要求を受けている場合、記憶ステップにおいて記憶した情報に応じて、通信機に対し、電話機から着呼の要求を受けている旨の情報を送信するように、第２の通信ステップを制御する。第２の制御ステップは、第２の通信ステップにおいて通信機から着呼に応じる旨の情報を受信すると、通話を開始するために必要な情報を通信するように、第１の通信ステップおよび第２の通信ステップを制御する。第２の判断ステップは、第１の通信ステップにおいて受信した情報により、電話機が着呼の要求を中止したか否かを判断する。更新ステップは、電話機が着呼の要求を中止すると、着呼の要求を受けている旨の情報の送信先となる少なくとも１台の通信機の組が、前記電話機が着呼の要求を中止する前とは異なる組となるように、記憶ステップにおいて記憶する情報を更新する。
【発明の効果】
【００２４】
本発明に係る中継装置、通信システム、中継プログラム、および中継プログラムを記録したコンピュータ読取り可能な記録媒体は、汎用の電話機からの発呼に対して発呼の時刻に関わらず識別着信を実現できる。
【発明を実施するための最良の形態】
【００２５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２６】
＜第１の実施の形態＞
以下、本発明の第１の実施の形態に係る中継装置および通信システムについて説明する。
【００２７】
図１を参照して、本実施の形態に係る通信システムは、親機１０２と、２台の子機１０４とを含む。親機１０２は、一般のアナログ公衆電話網であるＰＳＴＮ（Public Switched Telephone Network）を介して、ＰＤＡ（Personal Digital Assistance）１００からの通信を中継する中継装置である。子機１０４は、ＰＤＡ１００と通信する通信装置である。本実施の形態の場合、親機１０２と子機１０４との間の通信は、アナログ無線により実施される。
【００２８】
図２を参照して、親機１０２は、アナログインターフェイス１１０と、通信制御部１１２と、音声入出力部１１４と、音声制御部１１６と、映像入力部１１８と、映像制御部１２０と、表示部１２２と、表示制御部１２４と、メモリ１２６と、データ制御部１２８と、操作部１３０と、操作検知部１３２と、アナログコードレスコントローラ１３４と、ＴＶ電話制御部１３６と、メモリカード駆動装置１３８とを含む。アナログインターフェイス１１０は、ＰＳＴＮを介して、電話機（以下、通信する機能と、通信機に対して着呼を要求する機能と、音声を受付ける機能と、音声を信号に変換する機能と、着呼に応じた通信機から受信した信号を音声に変換する機能と、信号から変換された音声を出力する機能とを有する通信装置を、「電話機」と称する）の１種であるＰＤＡ１００と通信する装置である。通信制御部１１２は、アナログインターフェイス１１０を制御する装置である。通信制御部１１２は、アナログインターフェイス１１０が受信した情報である、起動信号（「ＣＡＲ」ともいう）や呼出信号（「ＩＲ」ともいう）により、電話機であるＰＤＡ１００から着呼の要求（「着呼」とは電話を受けることを言う）を受けているか否かを判断する装置でもある。音声入出力部１１４は、マイクにより音声を受付け、音声を表わす情報に変換する装置である。音声入出力部１１４は、音声を表わす情報を受付け、スピーカにより音声として出力する装置でもある。音声入出力部１１４は、ＴＶ電話制御部１３６の制御により、スピーカから着信音を出力する装置でもある。音声制御部１１６は、音声入出力部１１４を制御する装置である。映像入力部１１８は、カメラの撮像により、画像を表わす情報を受付ける装置である。映像制御部１２０は、映像入力部１１８を制御する装置である。表示部１２２は、映像を表わす情報に基づき、映像を表示する装置である。映像制御部１２４は、表示部１２２を制御する装置である。メモリ１２６は、ＴＶ電話制御部１３６などが利用する情報を記憶する装置である。データ制御部１２８は、メモリ１２６が記憶した情報を読出す装置である。データ制御部１２８は、メモリ１２６に対し、情報を記憶させる装置でもある。操作部１３０は、ユーザの操作を受付ける装置である。操作検知部１３２は、ユーザが操作部１３０をどのように操作したかを検出する装置である。アナログコードレスコントローラ１３４は、所定の通信機である子機１０４と通信する装置である。ＴＶ電話制御部１３６は、制御や情報の処理のために必要な演算を実施する装置である。メモリカード駆動装置１３８は、メモリカード１５５から、プログラムを読取る装置である。
【００２９】
通信制御部１１２は、着信検知部１４０を含む。着信検知部１４０は、アナログインターフェイス１１０が受信した情報により、電話機があるＰＤＡ１００からの着呼の要求を受けているか否かを判断する装置である。着信検知部１４０は、発信者検知部１５０を含む。発信者検知部１５０は、アナログインターフェイス１１０が着呼の要求を受けると、着呼の要求の発信者を表わす情報を検知する装置である。
【００３０】
メモリ１２６は、着信順テーブル１４２と、設定テーブル１４４とを記憶する装置である。着信順テーブル１４２は、ＰＤＡ１００から着呼の要求を受けた場合の着呼の要求を受けている旨の情報の送信先を表わす情報である。図３を参照して、本実施の形態の場合、着信順テーブル１４２は、子機１０４を表わす情報に加え、親機１０２を表わす情報を含む。本実施の形態の場合、便宜上、各子機１０４には、固有の識別子が設定されている。図３に示す「第１子機」や「第２子機」は、固有の識別子を表わす。これにより、メモリ１２６は、ＰＤＡ１００から着呼の要求を受けた場合の着呼の要求を受けている旨の情報の送信先を表わす情報を記憶する装置となる。設定テーブル１４４は、ＰＤＡ１００との間で、通信の対象を指定する情報を記憶する。本実施の形態の場合、画像を表わす情報および音声を表わす情報の少なくとも一方が通信の対象を指定する情報となる。
【００３１】
本実施の形態に係る親機１０２は、親機１０２のハードウェアとＴＶ電話制御部１３６により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ１２６などに格納される。さらに上述したＴＶ電話制御部１３６により実行される。上述した親機１０２のハードウェア自体は一般的なものである。したがって、本発明の最も本質的な部分は、メモリカード１５５などの記録媒体に記録されたプログラムとなる。なお、親機１０２自体の動作は周知であるので、ここではその詳細な説明は繰返さない。
【００３２】
図４を参照して、子機１０４は、通信制御部１６０と、音声入出力部１６２と、音声制御部１６４と、映像入力部１６６と、映像制御部１６８と、表示部１７０と、表示制御部１７２と、メモリ１７４と、データ制御部１７６と、操作部１７８と、操作検知部１８０と、アナログコードレスコントローラ１８２と、ＴＶ電話制御部１８４と、メモリカード駆動装置１３８とを含む。
【００３３】
アナログコードレスコントローラ１８２は、親機１０２と通信する。通信制御部１６０は、アナログコードレスコントローラ１８２を制御する。音声入出力部１６２は、アナログコードレスコントローラ１８２が送信するための情報のうち、音声を表わす情報を受付ける。音声入出力部１６２は、アナログコードレスコントローラ１８２が受信した情報のうち、音声を表わす情報を音声として出力する装置でもある。音声制御部１６４は、音声入出力部１６２を制御する。映像入力部１６６は、アナログコードレスコントローラ１８２が送信するための情報のうち、映像を表わす情報を受付ける装置である。映像制御部１６８は、映像入力部１６６を制御する装置である。表示部１７０は、アナログコードレスコントローラ１８２が受信した情報のうち、映像を表わす情報を映像として出力する装置である。表示制御部１７２は、表示部１７０を制御する装置である。メモリ１７４は、ＴＶ電話制御部１８４などが用いる情報を記憶する装置である。データ制御部１７６は、メモリ１７４から情報を読出す装置である。データ制御部１７６は、メモリ１７４に情報を記憶させる装置でもある。操作部１７８は、ユーザの操作を受付ける。操作検知部１８０は、ユーザが操作部１７８をどのように操作したかを検知する装置である。ＴＶ電話制御部１８４は、制御や情報の処理のために演算を実施する装置である。
【００３４】
なお、図４に示す制御ブロック図の中で、前述の図２に示していない装置の説明は上述の通りである。図４に示す制御ブロック図の中で、前述の図２に示した装置には同じ符号を付してある。それらの機能も同じである。したがって、それらについての詳細な説明はここでは繰返さない。
【００３５】
本実施の形態に係る子機１０４は、子機１０４のハードウェアとＴＶ電話制御部１８４により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ１７４などに格納される。さらに上述したＴＶ電話制御部１８４により実行される。上述した子機１０４のハードウェア自体は一般的なものである。したがって、本発明の最も本質的な部分は、メモリカード１５５などの記録媒体に記録されたプログラムとなる。なお、子機１０４自体の動作は周知であるので、ここではその詳細な説明は繰返さない。
【００３６】
図５を参照して、通信システムで実行されるプログラムは、着信に関し、以下のような制御を実行する。
【００３７】
ステップＳ２００にて、着信検知部１４０は、公衆網から着信を検知したか否かを判断する。これにより、着信検知部１４０は、アナログインターフェイス１１０が受信した情報により、ＰＤＡ１００から着呼の要求を受けているか否かを判断することとなる。公衆網から着信を検知したと判断した場合（ステップＳ２００にてＹＥＳ）、処理はステップＳ２０２へと移される。もしそうでないと（ステップＳ２００にてＮＯ）、処理はステップＳ２００へと戻される。
【００３８】
ステップＳ２０２にて、ＴＶ電話制御部１３６は、データ制御部１２８に、メモリ１２６が記憶した着信順テーブル１４２のうち、順序が先頭の通信機を表わす情報を読出させる。情報が読出されると、ＴＶ電話制御部１３６は、データ制御部１２８が読出した情報を通信制御部１１２に出力する。通信制御部１１２は、ＴＶ電話制御部１３６が出力した情報によって表わされる通信機に、着信を検知した旨を送信するように、アナログコードレスコントローラ１３４を制御する。すなわち、通信制御部１１２は、着信順テーブル１４２に従って着信を通知する。これにより、通信制御部１１２は、ＰＤＡ１００から着呼の要求を受けている場合、メモリ１２６が記憶した選択の順序を表わす情報に応じて、子機１０４に対し、ＰＤＡ１００から着呼の要求を受けている旨の情報を送信するように、アナログコードレスコントローラ１３４を制御することとなる。ＴＶ電話制御部１３６が出力した情報が、親機１０２自身を表わす場合、通信制御部１１２は、ＴＶ電話制御部１３６に対し、着信を通知する。
【００３９】
ステップＳ２０４にて、親機１０２および子機１０４の少なくとも一方が着信音の鳴動を開始する。図６は、本実施の形態において、ＰＤＡ１００が親機１０２に対して、着呼を要求する際の、信号のやり取りを表わす図である。本実施の形態の場合、着信があると、公衆網から起動信号が送られる。着信検知部１４０は、アナログインターフェイス１１０を経由して起動信号を受けたことを検知する。その後、着信検知部１４０は、ＰＤＡ１００を表わす情報（発信者情報）を検知する。その後、公衆網から呼出信号が送られる。着信検知部１４０は、アナログインターフェイス１１０を介して呼出信号を検知する。通信制御部１１２は、発信者情報および着信の要求を受けた旨の情報をＴＶ電話制御部１３６に出力する。ＴＶ電話制御部１３６は、データ制御部１２８に、着信順テーブル１４２が記憶する情報を読出させる。ＴＶ電話制御部１３６は、親機１０２が着信を受ける必要があれば（メモリ１２６から読出された「選択の順序を表わす情報」が親機１０２を表わしていれば）、音声制御部１１６を通して音声入出力部１１４に呼出音を出力させる。併せて、ＴＶ電話制御部１３６は、表示制御部１２４を通して表示部１２２に発信者番号を表示させる。子機１０４のいずれかが着信音の鳴動を開始する場合にも、鳴動を開始する子機１０４において、上述したやり取りのうち、通信制御部１１２が発信者情報および着信の要求を受けた旨の情報をＴＶ電話制御部１３６に出力した後の動作と同様の動作が実施される。
【００４０】
ステップＳ２０６にて、着信検知部１４０は、アナログコードレスコントローラ１３４が受信した情報を参照することにより、子機１０４のいずれかが着呼に応じる旨の情報を送信したか否かを判断する。併せて、ＴＶ電話制御部１３６は、操作検知部１３２が検出した操作の内容に基づき、着呼に応じる旨の情報を受付けたか否かを判断する。これにより、着信検知部１４０およびＴＶ電話制御部１３６は、いずれかの端末（親機１０２および子機１０４の少なくとも一方）が着信に応答したか否かを判断することとなる。いずれかの端末で着信に応答したと判断した場合（ステップＳ２０６にてＹＥＳ）、処理はステップＳ２０８へと移される。もしそうでないと（ステップＳ２０６にてＮＯ）、処理はステップＳ２１２へと移される。
【００４１】
ステップＳ２０８にて、ＴＶ電話制御部１３６は、音声制御部１１６に、音声入出力部１１４が着信音の出力を停止するように制御させる。併せて、ＴＶ電話制御部１３６は、アナログコードレスコントローラ１３４が着信音を出力することを停止する旨の情報を送信するように、通信制御部１１２に制御させる。これにより、ＴＶ電話制御部１３６は、着信音の鳴動を停止させることとなる。
【００４２】
ステップＳ２１０にて、ＴＶ電話制御部１３６は、通信制御部１１２に対し、通話処理を実施するよう命じる信号を出力する。通信制御部１１２は、通話処理の実施として、通話を開始するために必要な情報を通信するように、アナログインターフェイス１１０を制御する。着信に応答する端末が子機１０４のいずれかである場合、通信制御部１１２は、通話を開始するために必要な情報を通信するように、アナログコードレスコントローラ１３４を制御する。これにより、通信制御部１１２は、アナログコードレスコントローラ１３４が子機１０４から着呼に応じる旨の情報を受信すると、通話を開始するために必要な情報を通信するように、アナログインターフェイス１１０およびアナログコードレスコントローラ１３４を制御することとなる。
【００４３】
ステップＳ２１２にて、着信検知部１４０は、公衆網からの呼出が終了したか否かを判断する。本実施の形態の場合、公衆網からの呼出が終了した場合、公衆網からの呼出信号が停止する。着信検知部１４０は、アナログインターフェイス１１０を介して呼出信号の停止を検知することにより、公衆網からの呼出が終了したか否かを判断する。これにより、着信検知部１４０は、アナログインターフェイス１１０が受信した情報により、ＰＤＡ１００が着呼の要求を中止したか否かを判断することとなる。公衆網からの呼出が終了したと判断した場合（ステップＳ２１２にてＹＥＳ）、処理はステップＳ２１４へと移される。もしそうでないと（ステップＳ２１２にてＮＯ）、処理はステップＳ２０６へと移される。
【００４４】
ステップＳ２１４にて、通信制御部１１２は、公衆網からの呼出が終了した旨をＴＶ電話制御部１３６に出力する。ＴＶ電話制御部１３６は、親機１０２の音声入出力部１１４が着信音の鳴動を継続している場合、音声制御部１１６に、音声入出力部１１４が着信音を出力することを停止するように制御させる。ＴＶ電話制御部１３６は、表示制御部１２４に、表示部１２２が表示中の発信者番号を消去するように制御させる。ＴＶ電話制御部１３６は、子機１０４が着信音の鳴動を継続している場合、通信制御部１１２に、アナログコードレスコントローラ１３４が呼出音の鳴動を停止するよう命じる旨の信号を送信するように制御させる。これにより、ＴＶ電話制御部１３６は、着信音の鳴動を停止させることとなる。
【００４５】
ステップＳ２１６にて、ＴＶ電話制御部１３６は、データ制御部１２８に、着信順テーブル１４２を更新すべき旨の信号を出力する。データ制御部１２８は、着信順テーブル１４２すなわちメモリ１２６が記憶する情報を更新する。これにより、データ制御部１２８は、ＰＤＡ１００が着呼の要求を中止すると、着呼の要求を受けている旨の情報の送信先となる少なくとも１台の通信機の組が、ＰＤＡ１００が着呼の要求を中止する前とは異なる組となるように、メモリ１２６が記憶する情報（着信順テーブル１４２）を更新することとなる。
【００４６】
以上のような構造およびフローチャートに基づく、通信システムの動作について説明する。
【００４７】
着信検知部１４０は、公衆網から着信を検知したか否かを判断する（ステップＳ２００）。公衆網から着信を検知していない間（ステップＳ２００にてＮＯ）、着信検知部１４０は、公衆網から着信を検知したか否かを繰返し判断する。その後、公衆網から着信を検知すると（ステップＳ２００にてＹＥＳ）、通信制御部１１２は、着信順テーブル１４２に従って着信を通信する（ステップＳ２０２）。図３を参照して、順序の先頭にある着信先は、親機１０２と子機１０４とである。これにより、通信制御部１１２は、親機１０２と子機１０４とに着信を通知する。着信が通知されると、親機１０２と子機１０４とは着信音の鳴動を開始する（ステップＳ２０４）。
【００４８】
着信音の鳴動が開始されると、着信検知部１４０は、いずれかの端末が着信に応答したか否かを判断する（ステップＳ２０６）。この場合、どの端末も着信に応答していないとすると（ステップＳ２０６にてＮＯ）、着信検知部１４０は、公衆網からの呼出が終了したか否かを判断する（ステップＳ２１２）。公衆網からの呼出が終了していない間（ステップＳ２１２にてＮＯ）、ステップＳ２０６〜ステップＳ２１２の処理が繰返される。
【００４９】
その後公衆網からの呼出が終了すると（ステップＳ２１２にてＹＥＳ）、親機１０２および子機１０４における着信音の鳴動が停止する（ステップＳ２１４）。着信音の鳴動が停止すると、データ制御部１２８は、着信順テーブル１４２を更新する（ステップＳ２１６）。本実施の形態の場合、データ制御部１２８は、順序が先頭である着信先（図３の場合親機１０２および子機１０４）が末尾に繰下がり、順序が２番目以降の着信先が順次繰上がるように着信順テーブル１４２を更新することとする。着信順テーブル１４２が更新されると、ステップＳ２００〜ステップＳ２１６の処理が繰返される。
【００５０】
以上のようにして、本実施の形態に係る通信システムは、任意の電話機であるＰＤＡから着呼の要求を受け、所定の要件（本実施の形態の場合、着信に応答すること）を満たす前に、ＰＤＡが着呼の要求を中止すると、メモリが記憶した着信順テーブルを更新する。これにより、汎用の電話機からの発呼に対して発呼の時刻にかかわらず、識別着信を実現できる。発信者は、次に着信する子機を予め記憶することにより、任意の子機に着信を要求することができる。その結果、汎用の電話機からの発呼に対して発呼の時刻にかかわらず識別着信を実現する中継装置および通信システムを提供することができる。
【００５１】
なお、第１の変形例として、親機１０２は、ユーザが定めたある期間、着信に対する応答がなければ、留守番電話として動作してもよい。
【００５２】
また、第２の変形例として、ＰＤＡ１００に代わる「任意の電話機」は特に限定されない。電話機としての機能を有するのであれば、ハンドセットなどと通信してもよい。
【００５３】
また、第３の変形例として、本実施の形態に係る通信システムは、任意の電話機として、警備会社の監視システムなどに接続された電話機と通信してもよい。これにより、本実施の形態に係る通信システムは、警備システムの一部として、安全の確保に寄与できる。
【００５４】
＜第２の実施の形態＞
以下、本発明の第２の実施の形態に係る中継装置および通信システムについて説明する。
【００５５】
図７を参照して、本実施の形態に係る通信システムは、親機２２０と、複数（本実施の形態の場合３台）の子機２２２とを含む。親機２２０は、インターネット網およびイントラネット網のうち少なくとも一方（以下、「インターネット網など」あるいは単に「網」と称する。本実施の形態の場合、イントラネット網においては、ＩＥＥＥ（the Institute of Electrical and Electronic Engineers）８０２．３／８０２．３ｕに準拠することとする。）を介して、任意の電話機であるＰＤＡ２１０との通信を中継する中継装置である。子機２２２は、ＰＤＡ２１０と通信する通信装置である。
【００５６】
図８を参照して、親機２２０は、第１ＬＡＮコントローラ２３０と、通信制御部２３２と、音声入出力部２３４と、音声制御部１１６と、映像入力部２３６と、映像制御部１２０と、表示部２３８と、表示制御部１２４と、メモリ１２６と、データ制御部１２８と、操作部２４０と、操作検知部１３２と、第２ＬＡＮコントローラ２４２と、ＴＶ電話制御部２４４と、タイマ２４６と、メモリカード駆動装置１３８とを含む。第１ＬＡＮコントローラ２３０は、電話機であるＰＤＡ２１０と通信する装置である。通信制御部２３２は、第１ＬＡＮコントローラ２３０および第２ＬＡＮコントローラ２４２を制御する装置である。音声入出力部２３４は、第１ＬＡＮコントローラ２３０および第２ＬＡＮコントローラ２４２が送信するための情報のうち、音声を表わす情報を、マイクにより受付ける装置である。音声入出力部２３４は、第１ＬＡＮコントローラ２３０および第２ＬＡＮコントローラ２４２が受信した情報のうち、音声を表わす情報を、スピーカにより出力する装置でもある。音声入出力部２３４は、ＴＶ電話制御部２４４の制御により、スピーカから着信音を出力する装置でもある。映像入力部２３６は、第１ＬＡＮコントローラ２３０および第２ＬＡＮコントローラ２４２が通信する情報のうち、画像を表わす情報を、カメラの撮像により受付ける装置である。表示部２３８は、第１ＬＡＮコントローラ２３０および第２ＬＡＮコントローラ２４２が受信した情報のうち、画像を表わす情報を画像として出力する装置である。操作部２４０は、ユーザの操作を受付ける装置である。第２ＬＡＮコントローラ２４２は、子機２２２と通信する装置である。ＴＶ電話制御部２４４は、制御および情報の処理に必要な演算を実施する装置である。タイマ２４６は、時間を計測する装置である。
【００５７】
通信制御部２３２は、着信検知部２５０を含む。着信検知部２５０は、第１ＬＡＮコントローラ２３０が受信した情報のうち、着信の要求を表わす情報を検知することにより、ＰＤＡ２１０から着信の要求を受けているか否かを判断する装置である。
【００５８】
本実施の形態に係る親機２２０は、親機２２０のハードウェアとＴＶ電話制御部２４４により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ１２６などに格納される。さらに上述したＴＶ電話制御部２４４により実行される。上述した親機２２０のハードウェア自体は一般的なものである。したがって、本発明の最も本質的な部分は、メモリカード１５５などの記録媒体に記録されたプログラムとなる。なお、親機２２０自体の動作は周知であるので、ここではその詳細な説明は繰返さない。
【００５９】
なお、その他のハードウェア構成については前述の第１の実施の形態と同じである。それらについての機能も同じである。したがって、それらについての詳細な説明はここでは繰返さない。
【００６０】
図９を参照して、子機２２２は、ＬＡＮコントローラ２６０と、通信制御部２６２と、音声入出力部２３４と、音声制御部１１６と、映像入力部２３６と、映像制御部１２０と、表示部２３８と、表示制御部１２４と、メモリ２６４と、データ制御部１２８と、操作部２４０と、操作検知部１３２と、ＴＶ電話制御部２４４と、メモリカード駆動装置１３８とを含む。図１０は、子機２２２の外観図である。ＬＡＮコントローラ２６０は、親機２２０と通信する装置である。通信制御部２６２は、ＬＡＮコントローラ２６０を制御する装置である。メモリ２６４は、ＴＶ電話制御部２４４が用いる情報を記憶する。
【００６１】
なお、図９に示す制御ブロック図の中で、前述の図２および図８に示した装置は同じ符号を付してある。それらの機能も同じである。したがって、それらについての詳細な説明はここでは繰返さない。
【００６２】
本実施の形態に係る子機２２２は、子機２２２のハードウェアとＴＶ電話制御部２４４により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ２６４などに格納される。さらに上述したＴＶ電話制御部２４４により実行される。上述した子機２２２のハードウェア自体は一般的なものである。したがって、本発明の最も本質的な部分は、メモリカード１５５などの記録媒体に記録されたプログラムとなる。なお、子機２２２自体の動作は周知であるので、ここではその詳細な説明は繰返さない。
【００６３】
図１１を参照して、通信システムで実行されるプログラムは、着信に関し、以下のような制御を実行する。
【００６４】
ステップＳ３００にて、着信検知部２５０は、インターネット網などから着信を検知したか否かを判断する。第１ＬＡＮコントローラ２３０は、常時インターネット網に流れるデータを監視し、親機２２０宛てのデータを着信検知部２５０に渡す。着信検知部２５０は、第１ＬＡＮコントローラ２３０が受信した情報により、ＰＤＡ２１０から着呼の要求を受けているか否かを判断する。併せて、発信者検知部１５０は、第１ＬＡＮコントローラ２３０が受信した情報により、ＰＤＡ２１０を表わす情報を検知する。インターネット網から着信を検知したと判断した場合（ステップＳ３００にてＹＥＳ）、処理はステップＳ３０２へと移される。もしそうでないと（ステップＳ３００にてＮＯ）、処理はステップＳ３００へと戻される。
【００６５】
ステップＳ３０２にて、ＴＶ電話制御部２４４は、データ制御部１２８に、メモリ１２６が記憶した着信順テーブル１４２のうち、順序が先頭の通信機を表わす情報を読出させる。順序が先頭の通信機を表わす情報が読出されると、データ制御部１２８は、ＴＶ電話制御部２４４に自らが読出した情報を出力する。ＴＶ電話制御部２４４は、データ制御部１２８が出力した情報を通信制御部２３２に出力する。通信制御部２３２は、ＴＶ電話制御部２４４が出力した情報が表わす子機２２２に、着信があった旨の情報を送信するように、第２ＬＡＮコントローラ２４２を制御する。第２ＬＡＮコントローラ２４２が、子機２２２を識別するための情報（本実施の形態の場合、子機２２２を識別するための情報とは図３に示す固有の識別子のことである。固有の識別子の代わりに、本実施の形態にかかる通信システムに固有のＭＡＣアドレスやＩＰアドレスを利用してもよい。）と共に、着信があった旨の情報を送信するので、子機２２２は、自らに着信があった旨の情報が送信されたことを検知できる。これにより、通信制御部２３２は、ＰＤＡ２１０から着呼の要求を受けている場合、メモリ１２６が記憶する情報（ＰＤＡ２１０から着呼の要求を受けた場合、着呼の要求を受けている旨の情報の送信先を表わす情報）に応じて、子機２２２に対し、ＰＤＡ２１０から着呼の要求を受けている旨の情報を送信するように、第２ＬＡＮコントローラ２４２を制御することとなる。
【００６６】
ステップＳ３０４にて、ＴＶ電話制御部２４４は、ステップＳ３０２にてデータ制御部１２８が出力した情報に、親機２２０を表わす情報が含まれる場合、音声制御部１１６を通して音声入出力部２３４に着信音を出力させる。第２ＬＡＮコントローラ２４２から、着呼の要求を受けている旨の情報を受信した子機２２２のＬＡＮコントローラ２６０は、通信制御部２６２に、自らが受信した情報を出力する。子機２２２の通信制御部２６２は、ＬＡＮコントローラ２６０が受付けた情報をＴＶ電話制御部２４４に出力する。ＴＶ電話制御部２４４は、音声制御部１１６を通して、音声入出力部２３４に着信音を出力させる。これにより、親機２２０および子機２２２の少なくとも一方において、着信音の鳴動が開始される。ステップＳ３０６にて、親機２２０のＴＶ電話制御部２４４は、タイマ２４６に、時間の長さの計測をスタートさせる。
【００６７】
ステップＳ３０８にて、親機２２０のＴＶ電話制御部２４４は、操作検知部１３２が検知した操作および第２ＬＡＮコントローラ２４２が受信した情報の少なくとも一方に基づき、いずれかの端末（親機２２０および子機２２２の少なくとも一方）が着信に応答したか否かを判断する。着信に応答したと判断した場合（ステップＳ３０８にてＹＥＳ）、処理はステップＳ３１０へと移される。もしそうでないと（ステップＳ３０８にてＮＯ）、処理はステップＳ３１４へと移される。
【００６８】
ステップＳ３１０にて、親機２２０のＴＶ電話制御部２４４は、自らの音声入出力部２３４が着信音を出力している場合、音声制御部１１６を介して、音声入出力部２３４による着信音の鳴動を停止させる。併せて、親機２２０のＴＶ電話制御部２４４は、通信制御部２３２に、着信音の鳴動を停止すべき旨の信号を出力する。親機２２０の通信制御部２３２は、第２ＬＡＮコントローラ２４２に、着信音の鳴動を停止すべき旨の情報を送信させる。これにより、着信音の鳴動が停止する。
【００６９】
ステップＳ３１２にて、親機２２０の通信制御部２３２は、第１ＬＡＮコントローラ２３０に、通話を開始するために必要な情報を通信させる。第２ＬＡＮコントローラ２４２が子機２２２から着呼に応じる旨の情報を受信した場合、通信制御部２３２は、第２ＬＡＮコントローラ２４２に、通信を開始するために必要な情報を通信させる。これにより、通信制御部２３２は、第２ＬＡＮコントローラ２４２が、子機２２２から着呼に応じる旨の情報を受信すると、通話を開始するために必要な情報を通信するように、第１ＬＡＮコントローラ２３０および第２ＬＡＮコントローラ２４２を制御することとなる。
【００７０】
ステップＳ３１４にて、親機２２０の着信検知部２５０は、インターネット網などからの呼出が終了したか否かを判断する。ＰＤＡ２１０は、呼出を中止する場合、インターネット網などを介して着呼の要求を中止する旨の情報を送信する。親機２２０の着信検知部２５０は、第１ＬＡＮコントローラ２３０が着呼の要求を中止する旨の信号を検知したか否かにより、インターネット網からの呼出が終了したか否かを判断する。これにより、着信検知部２５０は、第１ＬＡＮコントローラ２３０が受信した情報により、ＰＤＡ２１０が着呼の要求を中止したか否かを判断することとなる。インターネット網などからの呼出が終了したと判断した場合（ステップＳ３１４にてＹＥＳ）、処理はステップＳ３１６へと移される。もしそうでないと（ステップＳ３１４にてＮＯ）、処理はステップＳ３０８へと移される。ステップＳ３１６にて、親機２２０および子機２２２のうち、着信音を出力していた端末は、ステップＳ３１０と同様の動作により、着信音の鳴動を停止する。
【００７１】
ステップＳ３１８にて、親機２２０のＴＶ電話制御部２４４は、タイマ２４６が測定した時間が予め定められた期間（所定の期間）である規定時間未満か否かを判断する。規定時間未満と判断した場合（ステップＳ３１８にてＹＥＳ）、処理はステップＳ３２０へと移される。もしそうでないと（ステップＳ３１８にてＮＯ）、処理はステップＳ３００へと移される。
【００７２】
ステップＳ３２０にて、親機２２０のデータ制御部１２８は、メモリ１２６が記憶した着信順テーブル１４２の内容を更新する。本実施の形態の場合、データ制御部１２８は、着信順テーブル１４２が含む情報のうち、順序が先頭であった端末の順序が最後となり、順序が２番目以降であった端末の順序が順次繰上がるように、着信順テーブル１４２の内容を更新する。これにより、データ制御部１２８は、ＰＤＡ２１０が着呼の要求を中止すると、着呼の要求を受けている旨の情報の送信先となる少なくとも１台の通信機の組が、ＰＤＡ２１０が着呼の要求を中止する前とは異なる組となるように、メモリ１２６が記憶する情報である着信順テーブル１４２を更新することとなる。
【００７３】
以上のような動作およびフローチャートに基づく、通信システムの動作について説明する。
【００７４】
親機２２０の着信検知部２５０は、インターネット網などから着信を検知したか否かを判断する（ステップＳ３００）。ＰＤＡ２１０から着信があった場合（ステップＳ３００にてＹＥＳ）、親機２２０の通信制御部２３２は、着信順テーブル１４２に従って子機２２２に着信を通知させる（ステップＳ３０２）。着信が通知されると、着信が通知された子機２２２は着信音の鳴動を開始する（ステップＳ３０４）。
【００７５】
鳴動が開始されると、親機２２０のタイマ２４６は、時間の長さの測定を開始する（ステップＳ３０６）。測定が開始されると、親機２２０のＴＶ電話制御部２４４は、いずれかの端末で着信に応答したか否かを判断する（ステップＳ３０８）。この場合、いずれの端末でも着信に応答しなかったとすると（ステップＳ３０８にてＮＯ）、着信検知部２５０は、インターネット網などからの呼出が終了したか否かを判断する（ステップＳ３１４）。インターネット網からの呼出が終了した場合（ステップＳ３１４にてＹＥＳ）、着信音を出力していた子機２２２は、着信音の鳴動を停止する（ステップＳ３１６）。
【００７６】
鳴動が停止すると、親機２２０のＴＶ電話制御部２４４は、タイマ２４６が測定した時間が規定時間未満か否かを判断する（ステップＳ３１８）。この場合、タイマ２４６が測定した時間が規定時間未満とすると（ステップＳ３１８にてＹＥＳ）、親機２２０のデータ制御部１２８は、メモリ１２６が記憶した着信順テーブル１４２を更新する（ステップＳ３２０）。これにより、親機２２０のデータ制御部１２８は、所定の期間（本実施の形態の場合「規定時間」）が経過する前に、ＰＤＡ２１０が着呼の要求を中止すると、メモリ１２６が記憶する情報である着信順テーブル１４２を更新することとなる。
【００７７】
以上のようにして、本実施の形態に係る親機は、一定時刻未満の着信のみを着信順テーブルの更新に利用するので、着信順テーブルの更新を求めない場合に、着信順テーブルが更新されることを避け得る。たとえば、着信音が鳴動する回数が１回から２回までの場合、着信順テーブルが更新され、着信音の鳴動が５回から１０回以上の場合、着信順テーブルは更新されないといった制御は実現可能である。これにより、発信側から発信し、着信側が応答する前に発信を取止めることにより、次回に着信がある端末を切換えることができる。発信者側でも、着信順テーブルの順序を予め把握しておくことにより、目的の子機に着信させることが可能となる。その結果、汎用の電話機からの発呼に対して発呼の時刻にかかわらず識別着信を実現できる中継装置および通信システムを提供することができる。
【００７８】
なお、第１の変形例として、親機２２０は、ユーザが定めたある期間、着信に対する応答がなければ、留守番電話として動作してもよい。
【００７９】
また、第２の変形例として、ステップＳ３２０にて、親機２２０のデータ制御部１２８は、着信順テーブル１４２の内容を所定の規則に従って更新してもよい。「所定の規則」の例には、更新後の着信順テーブル１４２の内容と着信音を鳴らした回数とを対応させることが含まれる。これにより、データ制御部１２８は、所定の期間が経過する前に、ＰＤＡ２１０が着呼の要求を中止すると、着呼の要求を受けている旨の情報の送信先となる少なくとも１台の通信機の組が、ＰＤＡ２１０が着呼の要求を中止する前とは異なる組となるように、メモリ１２６が記憶する情報である着信順テーブル１４２を更新することとなる。
【００８０】
＜第３の実施の形態＞
以下、本発明の第３の実施の形態に係る中継装置および通信システムについて説明する。
【００８１】
本実施の形態に係る通信システムのハードウェア構成は前述の第２の実施の形態と同じである。それらについての機能も同じである。したがって、それらについての詳細な説明はここでは繰返さない。
【００８２】
図１２を参照して、通信システムで実行されるプログラムは、着信に関し、以下のような制御を実行する。なお、図１２に示すフローチャートの中で、前述の図１１に示した処理は同じステップ番号を付してある。それらの処理も同じである。したがって、それらについての詳細な説明はここでは繰返さない。
【００８３】
ステップＳ３２２にて、親機２２０のＴＶ電話制御部２４４は、タイマ２４６が測定した時間が規定時間以上であるか否かを判断する。規定時間以上と判断した場合（ステップＳ３２２にてＹＥＳ）、処理はステップＳ３２０へと移される。もしそうでないと（ステップＳ３２２にてＮＯ）、処理はステップＳ３００へと移される。
【００８４】
以上のような構造およびフローチャートに基づく、通信システムの動作について説明する。
【００８５】
着信音を鳴動させていた子機２２２が鳴動を停止すると（ステップＳ３１６）、親機２２０のＴＶ電話制御部２４４は、タイマ２４６が測定した時間が規定時間以上か否かを判断する（ステップＳ３２２）。この場合、タイマ２４６が測定した時間が規定時間以上となっていたとすると（ステップＳ３２２にてＹＥＳ）、親機２２０のデータ制御部１２８は、メモリ１２６が記憶した着信順テーブル１４２の内容を更新する（ステップＳ３２０）。これにより、親機２２０のデータ制御部１２８は、ＰＤＡ２１０から着呼の要求を受けている期間が所定の長さ以上となった後に、ＰＤＡ２１０が着呼の要求を中止すると、メモリ１２６が記憶する情報である着信順テーブル１４２を更新することとなる。
【００８６】
以上のようにして、本実施の形態に係る中継装置は、一定時間以上着信した場合にのみ着信順テーブルを更新することによって、通常の着信（本実施の形態の場合、着信音が５回から１０回鳴らされる着信をいう）に対して着信順テーブルが更新されることを避け、たとえば着信音が１５回から２０回程度鳴った場合に着信順テーブルを更新することができる。その結果、汎用の電話機からの発呼に対して発呼の時刻にかかわらず識別着信を実現できる中継装置、通信システム、中継プログラム、および中継プログラムを記録したコンピュータ読取り可能な記録媒体を提供することができる。
【００８７】
＜第４の実施の形態＞
以下、本発明の第４の実施の形態に係る中継装置および通信システムについて説明する。
【００８８】
図１３を参照して、本実施の形態に係る通信システムは、親機２２４と、複数（本実施の形態の場合３台）の子機２２２とを含む。親機２２４は、任意の電話機であるＰＤＡ２１０と子機２２２との通話を中継する中継装置である。親機２２４は、自らＰＤＡ２１０と通話する装置でもある。
【００８９】
図１４を参照して、親機２２４は、第１ＬＡＮコントローラ２３０と、通信制御部２３２と、音声入出力部２３４と、音声制御部１１６と、映像入力部２３６と、映像制御部１２０と、表示部２３８と、表示制御部１２４と、メモリ１２６と、データ制御部１２８と、操作部２４０と、操作検知部１３２と、第２ＬＡＮコントローラ２４２と、ＴＶ電話制御部２４４と、カウンタ２４８と、メモリカード駆動装置１３８とを含む。カウンタ２４８は、所定の単位時間が経過するたびに、値が一定値（本実施の形態の場合「１」とする）ずつ増加するように、数を数える計数装置である。
【００９０】
なお、図１４に示す制御ブロック図の中で、前述の図２および図８に示した装置は同じ符号を付してある。それらの機能も同じである。したがって、それらについての詳細な説明はここでは繰返さない。
【００９１】
本実施の形態に係る親機２２４は、親機２２４のハードウェアとＴＶ電話制御部２４４により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ１２６などに格納される。さらに上述したＴＶ電話制御部２４４により実行される。上述した親機２２４のハードウェア自体は一般的なものである。したがって、本発明の最も本質的な部分は、メモリカードなどの記録媒体に記録されたプログラムとなる。なお、親機２２４自体の動作は周知であるので、ここではその詳細な説明は繰返さない。
【００９２】
なお、その他のハードウェア構成については、前述の第２の実施の形態と同じである。それらについての機能も同じである。したがって、それらについての詳細な説明はここでは繰返さない。
【００９３】
図１５を参照して、通信システムで実行されるプログラムは、着信に関し、以下のような制御を実行する。なお、図１５に示すフローチャートの中で、前述の図１１に示した処理は同じステップ番号を付してある。それらの処理も同じである。したがって、それらについての詳細な説明はここでは繰返さない。
【００９４】
ステップＳ３３０にて、親機２２４のＴＶ電話制御部２４４は、カウンタ２４８に計数を開始させる。
【００９５】
ステップＳ３３２にて、親機２２４のＴＶ電話制御部２４４は、カウンタ２４８が計数した数が予め定められた数である規定回数未満か否かを判断する。規定回数未満と判断した場合（ステップＳ３３２にてＹＥＳ）、処理はステップＳ３２０へと移される。もしそうでないと（ステップＳ３３２にてＮＯ）、処理はステップＳ３００へと移される。
【００９６】
以上のような構造およびフローチャートに基づく、通信システムの動作について説明する。
【００９７】
着信音の鳴動が開始されると、カウンタ２４８は計数を開始する（ステップＳ３３０）。計数が開始されると、ステップＳ３０８〜ステップＳ３１６の処理を経て、親機２２４のＴＶ電話制御部２４４は、カウンタ２４８が計数した数が規定回数未満か否かを判断する（ステップＳ３３２）。この場合、カウンタ２４８が計数した数が規定回数未満とすると（ステップＳ３３２にてＹＥＳ）、親機２２４のデータ制御部１２８は、メモリ１２６が記憶する情報である着信順テーブル１４２を更新する（ステップＳ３２０）。これにより、親機２２４のデータ制御部１２８は、所定の単位時間（本実施の形態の場合、親機２２４における着信音の鳴動の周期に等しい時間）に所定の整数を乗じた長さの期間が経過する前に、ＰＤＡ２１０が着呼の要求を中止すると、メモリ１２６が記憶する情報である着信順テーブル１４２を更新することとなる。
【００９８】
以上のようにして、本実施の形態に係る通信システムは、一定回数未満の着信のみを着信順テーブルの更新に利用するため、着信順テーブルの更新を求めない通常の着信に対して着信順テーブルが更新されることを避け得る。たとえば、通常の着信の場合、着信音が５回から１０回鳴動するとすると、着信音が１回から２回程度鳴動する場合に限り、着信順テーブルを更新することができる。これにより、汎用の電話機からの発呼に対して発呼の時刻にかかわらず識別着信を実現できる。その結果、汎用の電話機からの発呼に対して発呼の時刻にかかわらず識別着信を実現できる中継装置、通信システム、中継プログラム、および中継プログラムを記録したコンピュータ読取り可能な記録媒体を提供することができる。
【００９９】
なお、第１の変形例として、カウンタ２４８は、子機２２２から着信音を鳴らした旨の信号を受信するたびに値が一定値ずつ増加するように、数を数える計数装置であってもよい。この場合も、子機２２２における着信音の鳴動の周期が一定なので、カウンタ２４８は、所定の単位時間が経過するたびに、値が一定値ずつ増加するように、数を数える計数装置である。
【０１００】
また、第２の変形例として、親機２２４は、ユーザが定めたある期間、着信に対する応答がなければ、留守番電話として動作してもよい。
【０１０１】
＜第５の実施の形態＞
以下、本発明の第５の実施の形態に係る中継装置および通信システムについて説明する。
【０１０２】
本実施の形態に係る通信システムのハードウェア構成は前述の第４の実施の形態と同じである。それらについての機能も同じである。したがって、それらについての詳細な説明はここでは繰返さない。
【０１０３】
図１６を参照して、通信システムで実行されるプログラムは、着信に関し、以下のような制御を実行する。なお、図１６に示すフローチャートの中で、前述の図１１および図１５に示した処理は同じステップ番号を付してある。それらの処理も同じである。したがって、それらについての詳細な説明はここでは繰返さない。
【０１０４】
ステップＳ３４０にて、親機２２４のＴＶ電話制御部２４４は、カウンタ２４８が計数した数が規定回数以上か否かを判断する。規定回数以上と判断した場合（ステップＳ３４０にてＹＥＳ）、処理はステップＳ３２０へと移される。もしそうでないと（ステップＳ３４０にてＮＯ）、処理はステップＳ３００へと移される。
【０１０５】
以上のような構造およびフローチャートに基づく、通信システムの動作について説明する。
【０１０６】
着信音の鳴動が停止すると、親機２２４のＴＶ電話制御部２４４は、カウンタ２４８が計数した数が規定回数以上か否かを判断する（ステップＳ３４０）。カウンタ２４８が計数した数が規定回数以上と判断すると（ステップＳ３４０にてＹＥＳ）、親機２２４のデータ制御部１２８は着信順テーブル１４２を更新する（ステップＳ３２０）。これにより、親機２２４のデータ制御部１２８は、ＰＤＡ２１０から着呼の要求を受けている期間が、所定の単位時間（本実施の形態の場合、親機２２４における着信音の鳴動の周期に等しい時間）に所定の整数を乗じた長さの期間以上となった後に、ＰＤＡ２１０が着呼の要求を中止すると、メモリ１２６が記憶し、かつ選択の順序を表わす情報である着信順テーブル１４２を更新することとなる。
【０１０７】
以上のようにして、本実施の形態に係る通信システムは、一定回数以上着信した場合にのみ着信順テーブルを更新する。これにより、通常の着信に対して着信順テーブルが更新されることを避け得る。たとえば、通常の着信の場合、着信音が５回から１０回鳴動するとすると、着信音が１５回から２０回程度鳴動した場合にのみ着信順テーブルを更新することができる。その結果、汎用の電話機からの発呼に対して発呼の時刻にかかわらず識別着信を実現できる中継装置、通信システム、中継プログラム、および中継プログラムを記録したコンピュータ読取り可能な記録媒体を提供することができる。
【０１０８】
なお、変形例として、カウンタ２４８は、子機２２２から着信音を鳴らした旨の信号を受信するたびに値が一定値ずつ増加するように、数を数える計数装置であってもよい。この場合も、子機２２２における着信音の鳴動の周期が一定なので、カウンタ２４８は、所定の単位時間が経過するたびに、値が一定値ずつ増加するように、数を数える計数装置である。
【０１０９】
＜第６の実施の形態＞
以下、本発明の第６の実施の形態に係る中継装置および通信システムについて説明する。
【０１１０】
図１７を参照して、本実施の形態に係る通信システムは、ルータ３５０と、複数（本実施の形態の場合３台）の子機３５２とを含む。ルータ３５０は、任意の電話機であるＰＤＡ２１０と子機３５２との通話を中継する中継装置である。ルータ３５０は、自らＰＤＡ２１０と通話する装置でもある。
【０１１１】
図１８を参照して、ルータ３５０は、第１ＬＡＮコントローラ２３０と、通信制御部２３２と、第２ＬＡＮコントローラ２４２と、音声入出力部４００と、音声制御部４０２と、メモリ４０４と、データ制御部４０６と、メイン制御部４０８と、タイマ４１０と、メモリカード駆動装置１３８とを含む。音声入出力部４００は、第１ＬＡＮコントローラ２３０および第２ＬＡＮコントローラ２４２が受信した情報のうち、音声を表わす情報を、スピーカにより出力する装置である。音声入出力部４００は、第１ＬＡＮコントローラ２３０および第２ＬＡＮコントローラ２４２が送信する情報のうち、音声を表わす情報を、マイクにより受付ける装置でもある。音声入出力部４００は、メイン制御部４０８の制御により、スピーカから着信音を出力する装置でもある。音声制御部４０２は、音声入出力部４００を制御する装置である。メモリ４０４は、メイン制御部４０８が利用する情報を記憶する装置である。本実施の形態の場合、「メイン制御部４０８が利用する情報」には、ＰＤＡ２１０から着呼の要求を受けた場合、着呼の要求を受けている旨の情報の送信先となる少なくとも１台の子機３５２を表わす情報が含まれる。データ制御部４０６は、メモリ４０４が記憶した情報を読出す装置である。データ制御部４０６は、メモリ４０４に情報を記憶させる装置でもある。メイン制御部４０８は、制御および情報の処理のために演算を実施する装置である。タイマ４１０は、時間の経過を計測する装置である。なお、図１８に示すブロック図の中で、前述の図１４に示した装置には同じステップ番号を付してある。それらの処理も同じである。したがって、それらについての詳細な説明はここでは繰返さない。
【０１１２】
本実施の形態に係るルータ３５０は、ルータ３５０のハードウェアとメイン制御部４０８により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ４０４などに格納される。さらに上述したメイン制御部４０８により実行される。上述したルータ３５０のハードウェア自体は一般的なものである。したがって、本発明の最も本質的な部分は、メモリカード１５５などの記録媒体に記録されたプログラムとなる。なお、ルータ３５０自体の動作は周知であるので、ここではその詳細な説明は繰返さない。
【０１１３】
図１９を参照して、子機３５２は、ＬＡＮコントローラ４１２と、通信制御部２６２と、音声入出力部２３４と、音声制御部１１６と、映像入力部２３６と、映像制御部１２０と、表示部２３８と、表示制御部１２４と、メモリ２６４と、データ制御部１２８と、操作部２４０と、操作検知部１３２と、ＴＶ電話制御部２４４と、メモリカード駆動装置１３８とを含む。ＬＡＮコントローラ４１２は、ルータ３５０と通信する装置である。なお、図１９に示す制御ブロック図の中で、前述の図９に示した装置は同じステップ番号を付してある。それらの処理も同じである。したがって、それらについての詳細な説明は繰返さない。
【０１１４】
なお、その他のハードウェア構成については、前述の第２の実施の形態と同じである。それらについての機能も同じである。したがって、それらについての詳細な説明はここでは繰返さない。
【０１１５】
図２０を参照して、通信システムで実行されるプログラムは、着信に関し、以下のような制御構造を有する。
【０１１６】
なお、図２０に示すフローチャートの中で、前述の図１１に示した処理は同じステップ番号を付してある。それらの処理も同じである。したがって、それらについての詳細な説明はここでは繰返さない。
【０１１７】
ステップＳ４１８にて、タイマ４１０は、電源が投入された時からの時間の経過を計測する。
【０１１８】
ステップＳ４２０にて、ルータ３５０のメイン制御部４０８は、タイマ４１０が計測した時間が予め定めた一定時間（閾値）を超えているか否かを判断する。一定時間を超えていると判断した場合（ステップＳ４２０にてＹＥＳ）、処理はステップＳ４２２へと移される。もしそうでないと（ステップＳ４２０にてＮＯ）、処理はステップＳ４２４へと移される。ステップＳ４２２にて、ルータ３５０のデータ制御部４０６は、メモリ４０４が記憶した着信順テーブル１４２を予め定めた状態である初期状態に更新する。
【０１１９】
ステップＳ４２４にて、第１ＬＡＮコントローラ２３０は、任意の電話機であるＰＤＡ２１０と通信する。着信検知部２５０は、第１ＬＡＮコントローラ２３０が受信した情報により、ＰＤＡ２１０から着呼の要求を受けているか否かを判断する。これにより、インターネット網などから着信を検知したか否かが判断される。着信を検知したと判断した場合（ステップＳ４２４にてＹＥＳ）、処理はステップＳ４２８へと移される。もしそうでないと（ステップＳ４２４にてＮＯ）、処理はステップＳ４２０へと移される。
【０１２０】
ステップＳ４２８にて、ルータ３５０のデータ制御部４０６は、メモリ４０４が記憶した着信順テーブル１４２から順序が先頭の子機３５２を表わす情報を読出す。情報が読出されると、データ制御部４０６は、読出された情報をメイン制御部４０８に出力する。メイン制御部４０８は、通信制御部２３２に、データ制御部４０６が読出した情報を出力する。通信制御部２３２は、メイン制御部４０８が出力した情報が表わす子機３５２に対し、ＰＤＡ２１０から着呼の要求を受けている旨の情報を送信するように、第２ＬＡＮコントローラ２４２を制御する。すなわち、通信制御部２３２は、着信順テーブル１４２に従って着信を通知することとなる。これにより、通信制御部２３２は、ＰＤＡ２１０から着呼の要求を受けている場合、メモリ４０４が記憶し、かつ着信順テーブル１４２が含む情報（ＰＤＡ２１０から着呼の要求を受けた場合の着呼の要求を受けている旨の情報の送信先を表わす情報）に応じて、子機３５２に対し、ＰＤＡ２１０から着呼の要求を受けている旨の情報を送信するように、第２ＬＡＮコントローラ２４２を制御することとなる。
【０１２１】
ステップＳ４３０にて、ルータ３５０の通信制御部２３２は、第２ＬＡＮコントローラ２４２が受信した情報を参照することにより、いずれかの子機３５２が着信に応答したか否かを判断する。着信に応答したと判断した場合（ステップＳ４３０にてＹＥＳ）、処理はステップＳ４３２へと移される。もしそうでないと（ステップＳ４３０にてＮＯ）、処理はステップＳ４３６へと移される。
【０１２２】
ステップＳ４３２にて、ルータ３５０のメイン制御部４０８は、通信制御部２３２に、着信音の鳴動を停止すべき旨の信号を出力する。通信制御部２３２は、子機３５２に対し、着信音の鳴動を停止すべき旨の情報を送信するように、第２ＬＡＮコントローラ２４２を制御する。これにより、子機３５２は、着信音の鳴動を停止する。
【０１２３】
ステップＳ４３４にて、通信制御部２３２は、第１ＬＡＮコントローラ２３０が、ＰＤＡ２１０に対し、通話を開始するために必要な情報を通信するように、第１ＬＡＮコントローラ２３０を制御する。ルータ３５０の通信制御部２３２は、着呼に応じる旨の情報を送信した子機３５２に対し、通話を開始するために必要な情報を通信するように、第２ＬＡＮコントローラ２４２を制御する。これにより、ルータ３５０の通信制御部２３２は、第２ＬＡＮコントローラ２４２が、子機３５２から着呼に応じる旨の情報を受信すると、通話を開始するために必要な情報を通信するように、第１ＬＡＮコントローラ２３０および第２ＬＡＮコントローラ２４２を制御することとなる。
【０１２４】
ステップＳ４３６にて、ルータ３５０の着信検知部２５０は、第１ＬＡＮコントローラ２３０が着呼の要求を中止する旨の情報を受信したか否かに基づいて、インターネット網などからの呼出が終了したか否かを判断する。これによって、着信検知部２５０は、第１ＬＡＮコントローラ２３０が受信した情報により、ＰＤＡ２１０が着呼の要求を中止したか否かを判断することとなる。呼出が終了したと判断した場合（ステップＳ４３６にてＹＥＳ）、処理はステップＳ４３８へと移される。もしそうでないと（ステップＳ４３６にてＮＯ）、処理はステップＳ４３０へと移される。
【０１２５】
ステップＳ４３７にて、ルータ３５０のメイン制御部４０８は、タイマ４１０に、ステップＳ４３６にてインターネット網などからの呼出が終了したと判断した時点からの時間の計測を開始させる。これにより、タイマ４１０は、ＰＤＡ２１０（ＰＤＡ２１０以外の電話機であってもよい）から着呼の要求を受け始めるまでの時間の経過を計測することとなる。
【０１２６】
ステップＳ４３８にて、ルータ３５０の通信制御部２３２は、着信音の鳴動を停止する旨の情報を送信するように、第２ＬＡＮコントローラ２４２を制御する。これにより、子機３５２は、着信音の鳴動を停止する。
【０１２７】
ステップＳ４４０にて、ルータ３５０のデータ制御部４０６は、メモリ４０４が記憶した着信順テーブル１４２の内容を更新する。これにより、データ制御部４０６は、着呼の要求を受けている旨の情報の送信先となる少なくとも１台の通信機の組が、ＰＤＡ２１０が着呼の要求を中止する前とは異なる組となるように、メモリ４０４が記憶する情報である着信順テーブル１４２を更新することとなる。
【０１２８】
以上のような構造およびフローチャートに基づく、通信システムの動作について説明する。
【０１２９】
タイマ４１０は、電源が投入された時からの時間の経過を計測する（ステップＳ４１８）。時間の経過が計測されると、ルータ３５０のメイン制御部４０８は、タイマ４１０が計測した時間が一定時間を超えているか否かを判断する（ステップＳ４２０）。この場合、タイマ４１０が計測した時間が一定時間を超えていたとすると（ステップＳ４２０にてＹＥＳ）、データ制御部４０６は、メモリ４０４が記憶した着信順テーブル１４２を初期状態に更新する（ステップＳ４２２）。これにより、データ制御部４０６は、電源を投入した時からの時間が閾値を越えると、着呼の要求を受けている旨の情報の送信先が所定の子機３５２となるように、メモリ４０４の着信順テーブル１４２が記憶する情報を変更することとなる。着信順テーブル１４２が更新されると、ルータ３５０の通信制御部２３２は、インターネット網から着信を検知したか否かを判断する（ステップＳ４２４）。この場合、着信を検知したとすると（ステップＳ４２４にてＹＥＳ）、ルータ３５０の通信制御部２３２は、メモリ４０４が記憶した着信順テーブル１４２に従って子機３５２に着信を通知する（ステップＳ４２８）。着信が通知されると、ステップＳ３０４の処理を経て、ルータ３５０の通信制御部２３２は、いずれかの子機３５２で着信に応答したか否かを判断する（ステップＳ４３０）。この場合、いずれの子機３５２も着信に応答しなかったとすると（ステップＳ４３０にてＮＯ）、ルータ３５０の着信検知部２５０は、インターネット網からの呼出が終了したか否かを判断する（ステップＳ４３６）。当初、呼出が終了していないが（ステップＳ４３６にてＮＯ）、ステップＳ４３０およびステップＳ４３６の処理が繰返された後、呼出が終了すると（ステップＳ４３６にてＹＥＳ）、ルータ３５０のタイマ４１０は、インターネット網からの呼出が終了したと判断した時点からの時間の計測を開始する（ステップＳ４３７）。これにより、タイマ４１０は、ＰＤＡ２１０が着呼の要求を中止した時からの時間の経過を計測することとなる。時間の計測が開始されると、子機３５２は着信音の鳴動を停止する（ステップＳ４３８）。着信音の鳴動が停止すると、ルータ３５０のデータ制御部４０６は、メモリ４０４が記憶した情報である着信順テーブル１４２の内容を更新する（ステップＳ４４０）。
【０１３０】
着信順テーブル１４２の内容が更新されると、ルータ３５０のメイン制御部４０８は、タイマ４１０が計測した時間が一定時間を超えているか否かを判断する（ステップＳ４２０）。この場合、タイマ４１０が計測した時間は一定時間を超えていないと考えられるので（ステップＳ４２０にてＮＯ）、ルータ３５０の通信制御部２３２は、インターネット網から着信を検知したか否かを判断する（ステップＳ４２４）。この場合、着信がなかったとすると（ステップＳ４２０にてＮＯ）、ステップＳ４２０〜ステップＳ４２４の処理が繰返される。その後、タイマ４１０が計測した時間が一定時間を超えると（ステップＳ４２０にてＹＥＳ）、データ制御部４０６は、メモリ４０４が記憶した着信順テーブル１４２を初期状態に更新する（ステップＳ４２２）。これにより、データ制御部４０６は、ＰＤＡ２１０が着呼の要求を中止した時からの時間が閾値を越えると、着呼の要求を受けている旨の情報の送信先が所定の子機３５２となるように、メモリ４０４の着信順テーブル１４２が記憶する情報を変更することとなる。
【０１３１】
以上のようにして、本実施の形態に係る通信システムは、一定時間着信がない場合に、着信順テーブルを初期状態に戻す。着信順テーブルが初期状態に戻されるので、発信側から次回の着信先を把握することが容易になる。その結果、汎用の電話機からの発呼に対して発呼の時刻にかかわらず識別着信を実現でき、かつ着信先を容易に特定できる中継装置、通信システム、中継プログラム、および中継プログラムを記録したコンピュータ読取り可能な記録媒体を提供することができる。
【０１３２】
なお、第１の変形例として、ステップＳ４３７にてタイマ４１０に時間の計測を開始させることに代えて、ステップＳ４２４にてインターネット網から着信を検知したと判断した場合（ステップＳ４２４にてＹＥＳ）に時間の計測を開始させてもよい。この場合、タイマ４１０は、ＰＤＡ２１０が着呼の要求を開始した時からの時間の経過を計測することとなる。
【０１３３】
また、第２の変形例として、子機３５２のいずれかは、ユーザが定めたある期間、着信に対する応答がなければ、留守番電話として動作してもよい。
【０１３４】
＜第７の実施の形態＞
以下、本発明の第７の実施の形態に係る中継装置および通信システムについて説明する。
【０１３５】
図２１を参照して、本実施の形態に係る通信システムは、ハブ４５０と、親機４５２と、複数（本実施の形態の場合２台）の子機４５４とを含む。ハブ４５０は、インターネット網を介して任意の電話機であるＰＤＡ２１０が送信した情報を親機４５２および子機４５４に分配する装置である。親機４５２は、ＰＤＡ２１０と子機４５４との通話を中継する中継装置である。親機４５２は、自らＰＤＡ２１０との通話を実施する通信機でもある。
【０１３６】
図２２を参照して、親機４５２は、ＬＡＮコントローラ４５５と、通信制御部２３２と、音声入出力部２３４と、音声制御部１１６と、映像入力部２３６と、映像制御部１２０と、表示部２３８と、表示制御部１２４と、メモリ１２６と、データ制御部１２８と、操作部２４０と、操作検知部１３２と、ＴＶ電話制御部２４４と、タイマ２４６と、メモリカード１３８とを含む。ＬＡＮコントローラ４５５は、電話機および通信機と通信する装置である。なお、図２２に示す制御ブロック図の中で、前述の図２および図８に示した装置には同じ符号を付してある。それらの機能も同じである。したがって、それらについての詳細な説明はここでは繰返さない。
【０１３７】
本実施の形態に係る親機４５２は、親機４５２のハードウェアとＴＶ電話制御部２４４により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ１２６などに格納される。さらに上述したＴＶ電話制御部２４４により実行される。上述した親機４５２のハードウェア自体は一般的なものである。したがって、本発明の最も本質的な部分は、メモリカード１５５などの記録媒体に記録されたプログラムとなる。なお、親機４５２自体の動作は周知であるので、ここではその詳細な説明は繰返さない。
【０１３８】
図２３を参照して、子機４５４は、ＬＡＮコントローラ２６０と、通信制御部２６２と、音声入出力部２３４と、音声制御部１１６と、映像入力部２３６と、映像制御部１２０と、表示部２３８と、表示制御部１２４と、メモリ１２６と、データ制御部１２８と、操作部２４０と、操作検知部１３２と、ＴＶ電話制御部２４４と、メモリカード１３８とを含む。なお、図２３に示すフローチャートの中で、前述の図８および図９に示した装置は同じ符号を付してある。それらの機能も同じである。したがって、それらについての詳細な説明はここでは繰返さない。
【０１３９】
本実施の形態に係る子機４５４は、子機４５４のハードウェアとＴＶ電話制御部２４４により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ１２６などに格納される。さらに上述したＴＶ電話制御部２４４により実行される。上述した子機４５４のハードウェア自体は一般的なものである。したがって、本発明の最も本質的な部分は、メモリカード１５５などの記録媒体に記録されたプログラムとなる。なお、子機４５４自体の動作は周知であるので、ここではその詳細な説明は繰返さない。
【０１４０】
図２４を参照して、制御システムで実行されるプログラムは、着信に関し、以下のような制御を実行する。なお、図２４に示すフローチャートの中で、前述の図１１に示した処理は同じステップ番号を付してある。それらの処理も同じである。したがって、それらについての詳細な説明はここでは繰返さない。
【０１４１】
ステップＳ４６０にて、親機４５２の着信検知部２５０は、インターネット網などから着信を検知したか否かを判断する。ＬＡＮコントローラ４５５は、常時インターネット網などに流れるデータを監視し、親機４５２宛てのデータを着信検知部２５０に渡す。着信検知部２５０は、ＬＡＮコントローラ４５５が受信した情報により、ＰＤＡ２１０から着呼の要求を受けているか否かを判断する。併せて、発信者検知部１５０は、ＬＡＮコントローラ４５５が受信した情報により、ＰＤＡ２１０を表わす情報を検知する。インターネット網などから着信を検知したと判断した場合（ステップＳ４６０にてＹＥＳ）、処理はステップＳ４６１へと移される。もしそうでないと（ステップＳ４６０にてＮＯ）、処理はステップＳ４６０へと戻される。
【０１４２】
ステップＳ４６１にて、親機４５２のＴＶ電話制御部２４４は、データ制御部１２８に、メモリ１２６が記憶した着信順テーブル１４２の内容を読出させる。着信順テーブル１４２の内容が読出されると、データ制御部１２８は、ＴＶ電話制御部２４４に自らが読出したデータを出力する。ＴＶ電話制御部２４４は、データ制御部１２８が出力したデータを通信制御部２３２に出力する。通信制御部２３２は、ＴＶ電話制御部２４４が出力したデータが表わす子機４５４に、着信があった旨の情報を送信するように、ＬＡＮコントローラ４５５を制御する。ＬＡＮコントローラ４５５が、子機４５４を識別するための情報（本実施の形態の場合、子機４５４を識別するための情報とは図３に示す固有の識別子のことである。識別ＩＤの代わりに、本実施の形態にかかる通信システムに固有のＭＡＣアドレスやＩＰアドレスを利用してもよい。）と共に、着信があった旨の情報を送信するので、子機４５４は、自らに着信があった旨の情報が送信されたことを検知できる。これにより、親機４５２の通信制御部２３２は、ＰＤＡ２１０から着呼の要求を受けている場合、メモリ１２６が記憶し、かつ着信順テーブル１４２が含む情報（ＰＤＡ２１０から着呼の要求を受けた場合の着呼の要求を受けている旨の情報の送信先となる子機４５４を表わす情報）に応じて、子機４５４に対し、ＰＤＡ２１０から着呼の要求を受けている旨の情報を送信するように、ＬＡＮコントローラ４５５を制御することとなる。
【０１４３】
ステップＳ４６２にて、親機４５２の通信制御部２３２は、ＬＡＮコントローラ４５５に、通話を開始するために必要な情報を通信させる。ＬＡＮコントローラ４５５が、子機４５４から着呼に応じる旨の情報を受信した場合、通信制御部２３２は、通信を開始するために必要な情報を通信するように、ＬＡＮコントローラ４５５を制御する。これにより、通信制御部２３２は、ＬＡＮコントローラ４５５が、子機４５４から着呼に応じる旨の情報を受信すると、通話を開始するために必要な情報を通信するように、ＬＡＮコントローラ４５５を制御することとなる。親機４５２の通信制御部２３２は、ユーザが親機４５２の操作部２４０を操作した場合にも、通信を開始するために必要な情報を通信するように、ＬＡＮコントローラ４５５を制御する。
【０１４４】
ステップＳ４６３にて、親機４５２の着信検知部２５０は、インターネット網などからの呼出が終了したか否かを判断する。ＰＤＡ２１０が呼出を中止した場合、ＰＤＡ２１０はインターネット網などを介して着呼の要求を中止する旨の情報を送信する。親機４５２の着信検知部２５０は、着呼の要求を中止する旨の信号を検知したか否かにより、インターネット網などからの呼出が終了したか否かを判断する。これにより、着信検知部２５０は、ＬＡＮコントローラ４５５が受信した情報により、ＰＤＡ２１０が着呼の要求を中止したか否かを判断することとなる。インターネット網などからの呼出が終了したと判断した場合（ステップＳ４６３にてＹＥＳ）、処理はステップＳ３１６へと移される。もしそうでないと（ステップＳ４６３にてＮＯ）、処理はステップＳ３０８へと移される。
【０１４５】
ステップＳ４６４にて、親機４５２の発信者検知部１５０は、ＬＡＮコントローラ２６０が受信した発信者情報が予め設定した発信者の発信者情報か否かを判断する。予め設定した発信者の発信者情報と判断した場合（ステップＳ４６４にてＹＥＳ）、処理はステップＳ４６５へと移される。もしそうでないと（ステップＳ４６４にてＮＯ）、処理はステップＳ４６０へと移される。
【０１４６】
ステップＳ４６５にて、親機４５２のデータ制御部１２８は、メモリ１２６が記憶した着信順テーブル１４２の内容を更新する。本実施の形態の場合、データ制御部１２８は、着信順テーブル１４２が含む情報のうち、順序が先頭であった端末の順序が最後となり、順序が２番目以降であった端末の順序が順次繰上がるように、着信順テーブル１４２の内容を更新する。これにより、データ制御部１２８は、着呼の要求を受けている旨の情報の送信先となる少なくとも１台の通信機の組が、ＰＤＡ２１０が着呼の要求を中止する前とは異なる組となるように、メモリ１２６が記憶する情報である着信順テーブル１４２を更新することとなる。
【０１４７】
以上のような構造およびフローチャートに基づく、通信システムの動作について説明する。
【０１４８】
着信検知部２５０は、インターネット網などから着信を検知したか否かを判断する（ステップＳ４６０）。インターネット網などから着信を検知すると（ステップＳ４６０にてＹＥＳ）、通信制御部２３２は、ＴＶ電話制御部２４４が出力したデータが表わす子機４５４に、着信があった旨の情報を送信するように、ＬＡＮコントローラ４５５を制御する（ステップＳ４６１）。情報が送信されると、ステップＳ３０４〜ステップＳ３０８の処理を経て、親機４５２の着信検知部２５０は、インターネット網などからの呼出が終了したか否かを判断する（ステップＳ４６３）。当初、インターネット網などからの呼出は終了しないので（ステップＳ４６３にてＮＯ）、ステップＳ３０８〜ステップＳ４６３の処理が繰返される。その後、インターネット網などからの呼出が終了するので（ステップＳ４６３にてＹＥＳ）、ステップＳ３１６の処理を経て、親機４５２の発信者検知部１５０は、ＬＡＮコントローラ２６０が受信した発信者情報が予め設定した発信者の発信者情報か否かを判断する（ステップＳ４６４）。この場合、ＬＡＮコントローラ２６０が受信した発信者情報が予め設定した発信者の発信者情報とすると（ステップＳ４６４にてＹＥＳ）、親機４５２のデータ制御部１２８は、メモリ１２６が記憶した着信順テーブル１４２の内容を更新する（ステップＳ４６５）。これにより、親機４５２のデータ制御部１２８は、所定の電話機であるＰＤＡ２１０が着呼の要求を中止すると、着呼の要求を受けている旨の情報の送信先となる少なくとも１台の通信機の組が、ＰＤＡ２１０が着呼の要求を中止する前とは異なる組となるように、メモリ１２６が記憶する情報である着信順テーブル１４２を更新することとなる。
【０１４９】
以上のようにして、本実施の形態に係る通信システムは、予め識別着信ができる発信元を設定しておくことにより、第三者による着信順テーブルの更新を禁止することができる。これにより、汎用の電話機からの発呼に対して発呼の時刻にかかわらず識別着信を実現でき、かつ第三者が識別着信を実施できないように制御できる中継装置、通信システム、中継プログラム、および中継プログラムを記録したコンピュータ読取り可能な記録媒体を提供することができる。
【０１５０】
なお、第１の変形例として、ステップＳ４６４にて、予め設定した発信者の発信者情報か否かを判断することに代え、発信者検知部１５０は、予め設定した発信者以外の発信者情報か否かを判断してもよい。この場合、親機４５２のデータ制御部１２８は、予め設定した発信者以外という所定の要件を満たし、かつＰＤＡ２１０が着呼の要求を中止すると、メモリ１２６が記憶する情報である着信順テーブル１４２を更新することとなる。
【０１５１】
また、第２の変形例として、親機４５２は、ユーザが定めたある期間、着信に対する応答がなければ、留守番電話として動作してもよい。
【０１５２】
また、第３の変形例として、ステップＳ４６５にて、親機４５２の通信制御部２３２は、データ制御部１２８が着信順テーブル１４２の内容を更新した後、着信順テーブル１４２の内容を更新すべき旨の情報を送信するように、ＬＡＮコントローラ２６０を制御してもよい。着信順テーブル１４２の内容を更新すべき旨の情報が送信される場合、子機４５４それぞれのデータ制御部１２８は、着信の順序が先頭であった端末の順序が最後となり、順序が２番目以降であった端末の順序が順次繰上がるように、着信順テーブル１４２の内容を更新する。子機４５４それぞれのデータ制御部１２８が着信順テーブル１４２の内容を更新する場合、子機４５４それぞれのデータ制御部１２８は、内容が一致するように、子機４５４それぞれの着信順テーブル１４２を更新する必要がある。これにより、子機４５４は、それぞれ自らの着信順テーブル１４２の内容を参照することで、着信音を鳴らすか否かを自ら判断できる。
【０１５３】
また、第４の変形例として、親機４５２の発信者検知部１５０が、ＰＤＡ２１０から受信した発信者情報が予め設定した発信者からの着信を表わすか否かを判断し、ＴＶ電話制御部２４４が、タイマ２４６が計測した着信からの経過時間が設定値を超えたか否かを判断し、タイマ２４６が計測した時間が設定値を超えると、通信制御部２３２が、情報を送信することにより、子機４５４に着信音の鳴動を開始させてもよい。これにより、親機４５２の通信制御部２３２は、所定の電話機であるＰＤＡ２１０から着呼の要求を受け、かつ所定の期間が経過した場合、メモリ１２６が記憶した情報に応じて、通信機（この場合子機４５４）に対し、ＰＤＡ２１０から着呼の要求を受けている旨の情報を送信するように、ＬＡＮコントローラ４５５を制御することとなる。
【０１５４】
＜第８の実施の形態＞
以下、本発明の第８の実施の形態に係る中継装置および通信システムについて説明する。
【０１５５】
図２５を参照して、本実施の形態に係る通信システムは、親機５１０と、子機１０４とを含む。親機５１０は、複数の回線のいずれかを介して、任意の電話機であるＰＤＡ１００と子機１０４との通話を中継する中継装置である。
【０１５６】
図２６を参照して、親機５１０は、第１アナログインターフェイス５２０と、第２アナログインターフェイス５２２と、通信制御部１１２と、音声入出力部１１４と、音声制御部１１６と、映像入力部１１８と、映像制御部１２０と、表示部１２２と、表示制御部１２４と、メモリ１２６と、データ制御部１２８と、操作部１３０と、操作検知部１３２と、アナログコードレスコントローラ１３４と、ＴＶ電話制御部１３６と、メモリカード駆動装置１３８とを含む。第１アナログインターフェイス５２０は、任意の電話会社であるＡ電話会社の公衆網を介してＰＤＡ１００と通信する装置である。第２アナログインターフェイス５２２は、任意の電話会社であってＡ電話会社とは異なる会社であるＢ電話会社の公衆網を通じて、ＰＤＡ１００と通信する装置である。本実施の形態の場合、第１アナログインターフェイス５２０と第２アナログインターフェイス５２２とが構成するブロックである通信ブロックは、電話機であるＰＤＡ１００と通話するための装置を構成する。
【０１５７】
なお、図２６に示す制御ブロック図の中で、前述の図２に示した装置は同じ符号を付してある。それらの機能も同じである。したがって、それらについての詳細な説明はここでは繰返さない。
【０１５８】
本実施の形態に係る親機５１０は、親機５１０のハードウェアとＴＶ電話制御部１３６により実行されるソフトウェアとにより実現される。一般的にこうしたソフトウェアは、メモリカード１５５などの記録媒体に格納されて流通し、メモリカード駆動装置１３８などにより記録媒体から読取られて一旦メモリ１２６などに格納される。さらに上述したＴＶ電話制御部１３６により実行される。上述した親機５１０のハードウェア自体は一般的なものである。したがって、本発明の最も本質的な部分は、メモリカード１５５などの記録媒体に記録されたプログラムとなる。なお、親機５１０自体の動作は周知であるので、ここではその詳細な説明は繰返さない。
【０１５９】
なお、その他のハードウェア構成については前述の第１の実施の形態と同じである。それらの機能も同じである。したがって、それらについての詳細な説明はここでは繰返さない。
【０１６０】
図２７を参照して、通信システムで実行されるプログラムは、着信に関し、以下のような制御を実行する。なお、図２７に示すフローチャートの中で、前述の図５に示した処理は同じステップ番号を付してある。それらの処理も同じである。したがって、それらについての詳細な説明はここでは繰返さない。
【０１６１】
ステップＳ５３０にて、親機５１０の発信者検知部１５０は、着信順テーブル１４２の更新をする回線からの着信があったか否かを判断する。本実施の形態の場合、Ａ電話会社の公衆網が着信順テーブル１４２の更新をする回線であることとする。これにより、親機５１０の発信者検知部１５０は、上述した通信ブロックが受信した情報により、ＰＤＡ１００から複数の電話番号のうち予め定められた電話番号であるＡ電話会社の電話番号についての着呼の要求を受けているか否かを判断することとなる。着信順テーブル１４２の更新をする回線からの着信があったと判断した場合（ステップＳ５３０にてＹＥＳ）、処理はステップＳ２０２へと移される。もしそうでないと（ステップＳ５３０にてＮＯ）、処理はステップＳ５３１へと移される。
【０１６２】
ステップＳ５３１にて、親機５１０のＴＶ電話制御部１３６は、データ制御部１２８に、メモリ１２６が記憶した着信順テーブル１４２から、親機５１０およびすべての子機１０４について、それらを表わす情報を読出させる。情報が読出されると、ＴＶ電話制御部１３６は、データ制御部１２８が読出した情報を通信制御部１１２に出力する。通信制御部１１２は、親機５１０およびすべての子機１０４へ、着信を検知した旨を送信するように、アナログコードレスコントローラ１３４を制御する。ＴＶ電話制御部１３６が出力した情報が、親機５１０自身を表わす場合、通信制御部１１２は、ＴＶ電話制御部１３６に対し、着信を通知する。
【０１６３】
ステップＳ５３４にて、親機５１０の発信者検知部１５０は、着信順テーブル１４２の更新をする回線（上述したように、本実施の形態の場合、Ａ電話会社の公衆網が着信順テーブル１４２の更新をする回線である）からの着信があったか否かを判断する。着信があったと判断した場合（ステップＳ５３４にてＹＥＳ）、処理はステップＳ２１６へと移される。もしそうでないと（ステップＳ５３４にてＮＯ）、処理はステップＳ２００へと移される。
【０１６４】
上記のような構造およびフローチャートに基づく、通信システムの動作について説明する。
【０１６５】
着信検知部１４０が公衆網からの着信を検知したと判断した後（ステップＳ２００にてＹＥＳ）、発信者検知部１５０は、着信順テーブル１４２の更新をする回線からの着信か否かを判断する（ステップＳ５３０）。この場合、着信があったのは、着信順テーブル１４２の更新をする回線であるＡ電話会社の回線であることとすると（ステップＳ５３０にてＹＥＳ）、通信制御部１１２は、着信順テーブル１４２に従って子機１０４に着信を通知する（ステップＳ２０２）。着信が通知されると、ステップＳ２０４〜ステップＳ２１４の処理を経て、親機５１０の発信者検知部１５０は、着信順テーブル１４２の更新をする回線からの着信があったか否かを判断する（ステップＳ５３４）。着信があったとすると（ステップＳ５３４にてＹＥＳ）、親機５１０のデータ制御部１２８は、着信順テーブル１４２を更新する（ステップＳ２１６）。これにより、データ制御部１２８は、アナログコードレスコントローラ１３４が子機１０４から着呼に応じる旨の情報を受信する前に、ＰＤＡ１００が予め定められた電話番号（Ａ電話会社の電話番号）についての着呼の要求を中止すると、メモリ１２６が記憶する情報である着信順テーブル１４２を更新することとなる。
【０１６６】
以上のようにして、本実施の形態に係る中継装置、通信システム、中継プログラム、および中継プログラムを記録したコンピュータ読取り可能な記録媒体は、汎用の電話機からの発呼に対して発呼の時刻にかかわらず識別着信を実現でき、第三者からの着信により予想外の識別着信が実施されることを防止できる。
【０１６７】
なお、変形例として、親機５１０は、ユーザが定めたある期間、着信に対する応答がなければ、留守番電話として動作してもよい。
【０１６８】
＜第９の実施の形態＞
以下、本発明の第９の実施の形態に係る中継装置および通信システムについて説明する。
【０１６９】
図２８を参照して、本実施の形態に係る通信システムは、インターネット網などを利用した複数の回線のいずれかにより任意の電話機であるＰＤＡ２１０と通信するシステムである。
【０１７０】
本実施の形態に係る通信システムのハードウェア構成は前述の第２の実施の形態と同じである。それらについての機能も同じである。したがって、それらについての詳細な説明はここでは繰返さない。
【０１７１】
図２９を参照して、通信システムで実行されるプログラムは、以下のような制御構造を有する。なお、図２９に示すフローチャートの中で、前述の図１１に示した処理は同じステップ番号を付してある。それらの処理も同じである。したがって、それらについての詳細な説明はここでは繰返さない。
【０１７２】
ステップＳ５４０にて、親機２２０の第１ＬＡＮコントローラ２３０は情報を受信する。親機２２０の発信者検知部１５０は、第１ＬＡＮコントローラ２３０が受信した情報の送信元を参照することにより、第１ＬＡＮコントローラ２３０が受信した情報が着信順テーブル１４２の更新をする回線からの着信を表わす情報か否かを判断する。本実施の形態の場合、Ａ電話会社の公衆網が着信順テーブル１４２の更新をする回線であることとする。これにより、親機２２０の発信者検知部１５０は、第１ＬＡＮコントローラ２３０が受信した情報により、ＰＤＡ２１０から複数の電話番号のうち予め定められた電話番号であるＡ電話会社の電話番号について着呼の要求を受けているか否かを判断することとなる。着信順テーブル１４２の更新をする回線からの着信を表わすと判断した場合（ステップＳ５４０にてＹＥＳ）、処理はステップＳ３０２へと移される。もしそうでないと（ステップＳ５４０にてＮＯ）、処理はステップＳ５４１へと移される。
【０１７３】
ステップＳ５４１にて、親機２２０のＴＶ電話制御部２４４は、データ制御部１２８に、メモリ１２６が記憶した着信順テーブル１４２から、親機２２０およびすべての子機２２２について、それらを表わす情報を読出させる。情報が読出されると、ＴＶ電話制御部２４４は、データ制御部１２８が読出した情報を通信制御部２３２に出力する。通信制御部２３２は、親機２２０およびすべての子機２２２へ、着信を検知した旨を送信するように、第２ＬＡＮコントローラ２４２を制御する。ＴＶ電話制御部２４４が出力した情報が、親機２２０自身を表わす場合、通信制御部２３２は、ＴＶ電話制御部２４４に対し、着信を通知する。
【０１７４】
ステップＳ５４２にて、親機２２０のＴＶ電話制御部２４４は、タイマ２４６が計測した時間に基づき、着信を通知しない時間が経過したか否かを判断する。時間が経過したと判断した場合（ステップＳ５４２にてＹＥＳ）、処理はステップＳ３０４へと移される。もしそうでないと（ステップＳ５４２にてＮＯ）、処理はステップＳ３０８へと移される。
【０１７５】
ステップＳ５４３にて、親機２２０の発信者検知部１５０は、第１ＬＡＮコントローラ２３０が受信した情報の送信元を参照することにより、第１ＬＡＮコントローラ２３０が受信した情報が着信順テーブル１４２の更新をする回線からの着信を表わす情報か否かを判断する。着信順テーブル１４２の更新をする回線からの着信を表わすと判断した場合（ステップＳ５４３にてＹＥＳ）、処理はステップＳ３１８へと移される。もしそうでないと（ステップＳ５４３にてＮＯ）、処理はステップＳ３００へと移される。
【０１７６】
以上のような構造およびフローチャートに基づく、通信システムの動作について説明する。
【０１７７】
ステップＳ３００の処理を経て、親機２２０の発信者検知部１５０は、第１ＬＡＮコントローラ２３０が受信した情報が着信順テーブル１４２の更新をする回線からの着信を表わす情報か否かを判断する（ステップＳ５４０）。この場合、着信順テーブル１４２の更新をする回線からの着信を表わすと判断したとすると（ステップＳ５４０にてＹＥＳ）、ステップＳ３０２〜ステップＳ３０６の処理を経て、親機２２０のＴＶ電話制御部２４４は、着信を通知しない期間が経過したか否かを判断する（ステップＳ５４２）。最初、着信を通知しない時間が経過していないので（ステップＳ５４２にてＮＯ）、ステップＳ３０８、ステップＳ３１４、およびステップＳ５４２の処理が繰返される。最終的に、着信を通知しない時間が経過するので（ステップＳ５４２にてＹＥＳ）、ステップＳ３０２で着信を通知された親機２２０や子機２２２は着信音の鳴動を開始する（ステップＳ３０４）。これにより、親機２２０のＴＶ電話制御部２４４は、ＰＤＡ２１０から複数の電話番号のうち予め定められた電話番号についての着呼の要求を受けている場合、所定の期間、親機２２０や子機２２２が着呼の要求を受けている旨の情報を出力すること（この場合、着信音が鳴ること）を制限する装置となる。鳴動が開始されると、ステップＳ３０８、ステップＳ３１４、ステップＳ５４２を繰返す。ステップＳ３１４にて網からの呼出が終了すると（ステップＳ３１４にてＹＥＳ）、着信音を停止し（ステップＳ３１６）、親機２２０の発信者検知部１５０は、第１ＬＡＮコントローラ２３０が受信した情報が着信順テーブル１４２の更新をする回線からの着信を表わす情報か否かを判断する（ステップＳ５４３）。この場合、着信順テーブル１４２の更新をする回線からの着信を表わすと判断されるので（ステップＳ５４３にてＹＥＳ）、親機２２０のＴＶ電話制御部２４４は、タイマ２４６の値が規定時間未満か否かを判断する（ステップＳ３１８）。この場合、タイマ２４６の値が規定時間未満であるとすると（ステップＳ３１８にてＹＥＳ）、親機２２０のデータ制御部１２８はメモリ１２６が記憶した情報である着信順テーブル１４２の内容を更新する（ステップＳ３２０）。これにより、親機２２０のデータ制御部１２８は、ＰＤＡ２１０から着呼の要求を受けている期間の長さが所定の長さ以上となる前にＰＤＡ２１０が着呼の要求を中止すると、メモリ１２６が記憶する情報である着信順テーブル１４２を更新することとなる。
【０１７８】
以上のようにして、本実施の形態に係る通信システムは、識別着信用の回線と通常着信用の回線とを分けることにより、着信順テーブルを切換えるための着信において不要な着信音の鳴動を防止できる。鳴動が防止されるので、着信側のユーザによる予想しない応答などを防止できる。呼出音によるユーザの不快感を解消できる。その結果、汎用の電話機からの発呼に対して発呼の時刻にかかわらず識別着信を実現でき、予想外の応答を防止でき、かつ不快感を解消できる中継装置、通信システム、中継プログラム、および中継プログラムを記録したコンピュータ読取り可能な記録媒体を提供することができる。
【０１７９】
なお、第１の変形例として、親機２２０は、ユーザが定めたある期間、着信に対する応答がなければ、留守番電話として動作してもよい。
【０１８０】
また、第２の変形例として、ステップＳ５４２にて、子機２２２のＴＶ電話制御部２４４は、親機２２０のＴＶ電話制御部２４４の代わりに、タイマ（この場合、子機２２２もタイマを内蔵することとする）が計測した時間に基づき、着信を通知しない時間が経過したか否かを判断してもよい。これにより、子機２２２のＴＶ電話制御部２４４は、着信は受けるがユーザに着信を受けていることを通知しない（着呼の要求を受けている旨の情報の出力を制限する）装置となる。
【０１８１】
＜第１０の実施の形態＞
以下、本発明の第１０の実施の形態に係る中継装置および通信システムについて説明する。
【０１８２】
本実施の形態に係る通信システムのハードウェア構成は前述の第２の実施の形態と同じである。それらについての機能も同じである。したがって、それらについての詳細な説明はここでは繰返さない。
【０１８３】
図３０を参照して、通信システムで実行されるプログラムは、着信に関し、以下のような制御構造を有する。なお、図３０に示すフローチャートの中で、前述の図１１に示した処理は同じステップ番号を付してある。それらの処理も同じである。したがって、それらについての詳細な説明はここでは繰返さない。
【０１８４】
ステップＳ５５２にて、親機２２０のＴＶ電話制御部２４４は、タイマ２４６が計測した時間が自動応答のためにユーザによって予め定められた時間に達したか（タイマが満了したか）否かを判断する。タイマが満了したと判断した場合（ステップＳ５５２にてＹＥＳ）、処理はステップＳ５５４へと移される。もしそうでないと（ステップＳ５５２にてＮＯ）、処理はステップＳ３１４へと移される。ステップＳ５５４にて、親機２２０および子機２２２はステップＳ３１０と同様の処理により着信音の鳴動を停止する。
【０１８５】
ステップＳ５５６にて、親機２２０の通信制御部２３２は、ＰＤＡ２１０との通話を開始するために必要な情報と自動応答のために必要な情報とを送信するように、第１ＬＡＮコントローラ２３０を制御する。本実施の形態において、自動応答のために必要な情報とは、子機２２２の音声入出力部２３４が受付けた、物音を表わす情報のことである。子機２２２の音声入出力部２３４が受付けた情報は、第２ＬＡＮコントローラ２４２が受信する。子機２２２の音声入出力部２３４が受付けた情報は、予め子機２２２の音声制御部１１６にてＧ．７１１に従い符号化されている。
【０１８６】
以上のような構造およびフローチャートに基づく、通信システムの動作について説明する。
【０１８７】
［自動応答がある場合］
タイマ２４６の計測が開始されると、ステップＳ３０８の処理を経て、親機２２０のＴＶ電話制御部２４４は、タイマが満了したか否かを判断する（ステップＳ５５２）。当初、タイマが満了しないので（ステップＳ５５２にてＮＯ）、ステップＳ３１４、ステップＳ３０８、およびステップＳ５５２の処理が繰返される。最終的に、タイマが満了するので（ステップＳ５５２にてＹＥＳ）、着信音の鳴動は停止する（ステップＳ５５４）。着信音の鳴動が停止すると、親機２２０の通信制御部２３２は、自動応答に必要な情報などを送信するように、第１ＬＡＮコントローラ２３０を制御する（ステップＳ５５６）。これにより、通信制御部２３２は、ＰＤＡ２１０から着呼の要求を受けている期間の長さが所定の長さを超えると、ＰＤＡ２１０に、ＰＤＡ２１０との通話を開始するために必要な情報と第２ＬＡＮコントローラ２４２が受信した情報とを送信するように、第１ＬＡＮコントローラ２３０を制御することとなる。
【０１８８】
［自動応答がない場合］
ステップＳ３００〜ステップＳ５５２の処理を経て、着信検知部２５０はインターネット網などからの呼出が終了したか否かを判断する（ステップＳ３１４）。自動応答がない場合、インターネット網などからの呼出は終了しないが（ステップＳ３１４にてＮＯ）、ステップＳ３０８〜ステップＳ３１４の処理が繰返された後、タイマ２４６が満了する前に呼出が終了すると（ステップＳ３１４にてＹＥＳ）、ステップＳ３１６の処理を経て、親機２２０のデータ制御部１２８は着信順テーブル１４２を更新する（ステップＳ３２０）。これにより、親機２２０のデータ制御部１２８は、ＰＤＡ２１０から着呼の要求を受けている期間の長さが所定の長さを超える前にＰＤＡ２１０が着呼の要求を中止すると、メモリ１２６が記憶する情報である着信順テーブル１４２を更新することになる。なお、自動応答がないままに呼出が終了すると（ステップＳ３１４にてＹＥＳ）、親機２２０および子機２２２のうち、着信音を出力していた端末は、着信音の鳴動を停止する（ステップＳ３１６）。着信音が停止すると、親機２２０のデータ制御部１２８は、メモリ１２６が記憶した着信順テーブル１４２の内容を更新する（ステップＳ３２０）。
【０１８９】
以上のようにして、本実施の形態に係る通信システムは、自動応答を可能とすることで、特定の子機が捉えた物音を外部から確認することができる。物音が外部から確認されると、本実施の形態に係る通信システムを防犯に役立てることが可能となる。発信側から音声などにより警告することも可能となる。その結果、汎用の電話機からの発呼に対して発呼の時刻にかかわらず識別着信を実現でき、防犯に役立てることができ、かつ警告をすることが可能な中継装置、通信システム、中継プログラム、および中継プログラムを記録したコンピュータ読取り可能な記録媒体を提供することができる。
【０１９０】
なお、変形例として、ステップＳ５５６にて、音声入出力部１６２に代え、ＴＶ電話制御部１８４が、音声入出力部１６２によって受付けられた情報を符号化してもよい。親機２２０は、専用の装置により音声入出力部１６２が受付けた情報を符号化してもよい。
【０１９１】
＜第１１の実施の形態＞
以下、本発明の第１１の実施の形態に係る中継装置および通信システムについて説明する。
【０１９２】
本実施の形態に係る通信システムのハードウェア構成は前述の第２の実施の形態と同じである。それらについての機能も同じである。したがって、それらについての詳細な説明はここでは繰返さない。
【０１９３】
図３１を参照して、通信システムで実行されるプログラムは、着信に関し、以下のような制御を実行する。なお、図３１に示すフローチャートの中で、前述の図１１および図３０に示した処理は同じステップ番号を付してある。それらの処理も同じである。したがって、それらについての詳細な説明はここでは繰返さない。
【０１９４】
ステップＳ５６０にて、親機２２０のＴＶ電話制御部２４４は、タイマ２４６が計測した時間の長さが予め定めた時間の長さを超えたか否か（タイマが満了したか否か）を判断する。タイマが満了したと判断した場合（ステップＳ５６０にてＹＥＳ）、処理はステップＳ５６２へと移される。もしそうでないと（ステップＳ５６０にてＮＯ）、処理はステップＳ３１４へと移される。ステップＳ５６２にて、親機２２０のタイマ２４６は、時間の長さの計測を開始する。
【０１９５】
ステップＳ５６４にて、親機２２０の通信制御部２３２は、通話を開始するために必要な情報を送信するように第１ＬＡＮコントローラ２３０を制御する。これにより、ＰＤＡ２１０との間で通話のための回線が接続されることとなる。
【０１９６】
ステップＳ５６６にて、親機２２０の通信制御部２３２は、着呼に応じる旨の情報を送信した子機２２２（本実施の形態の場合、どの子機２２２が着呼に応じるかを表わす情報は、親機２２０および子機２２２が予め記憶している）との間で接続を確立する。これにより、子機２２２が画像の入力を受付け、ＰＤＡ２１０へ出力するための経路が確立されることとなる。子機２２２の映像入力部２３６は、撮像により、画像を表わす情報を受付ける。子機２２２のＬＡＮコントローラ２６０は、着呼に応じる旨の情報を送信した後、経路の確立を待って、映像入力部２３６が受付けた画像を表わす情報を送信する。親機２２０の通信制御部２３２は、ＰＤＡ２１０へ着呼に応じる旨の情報を送信した後、子機２２２から受信した、画像を表わす情報を送信するように、第１ＬＡＮコントローラ２３０を制御する。
【０１９７】
ステップＳ５６８にて、子機２２２は、親機２２０への画像を表わす情報の送信を継続する。その間、親機２２０の通信制御部２３２は、次の条件のいずれかが成立したか否かを判断する。第１の条件は、ＰＤＡ２１０が通話を強制的に終了させたことである。第２の条件は、タイマ２４６がステップＳ５６２にて計測を開始した時間の長さが予め定めた時間を上回った（ひいては子機２２２が通話を強制的に終了させた）ことである。第１の条件および第２の条件の少なくとも一方が成立すると判断した場合（ステップＳ５６８にてＹＥＳ）、処理はステップＳ３００へと移される。もしそうでないと（ステップＳ５６８にてＮＯ）、処理はステップＳ５６８へと戻される。
【０１９８】
以上のような構造およびフローチャートに基づく、通信システムの動作について説明する。
【０１９９】
自動応答を開始するか否かを判断するため、時間の長さの計測が開始されると、ステップＳ３０８までの処理を経て、親機２２０のＴＶ電話制御部２４４は、タイマ２４６が満了したか否かを判断する（ステップＳ５６０）。タイマ２４６が満了したとすると（ステップＳ５６０にてＹＥＳ）、自動応答の残り時間を判断するため、再度親機２２０のタイマ２４６が時間の長さの計測を開始する（ステップＳ５６２）。再度計測が開始されると、ステップＳ５５４の処理を経て、親機２２０の通信制御部２３２は、ＰＤＡ２１０との間で回線を接続する（ステップＳ５６４）。回線が接続されると、親機２２０の通信制御部２３２は、着呼に応じる旨の情報を送信した子機２２２との間で接続を確立する。子機２２２の映像入力部２３６は、撮像により、画像を表わす情報を受付ける。子機２２２のＬＡＮコントローラ２６０は、着呼に応じる旨の情報を送信した後、接続の確立を待って、映像入力部２３６が受付けた画像を表わす情報を送信する。親機２２０の通信制御部２３２は、ＰＤＡ２１０へ着呼に応じる旨の情報を送信した後、子機２２２が送信した映像を表わす情報を送信するように、第１ＬＡＮコントローラ２３０を制御する（ステップＳ５６６）。情報が送信されると、親機２２０のＴＶ電話制御部２４４は、所定の条件が成立するか否かを判断する（ステップＳ５６８）。所定の条件が成立すると（ステップＳ５６８にてＹＥＳ）、親機２２０の着信検知部２５０は、再びインターネット網から着信を検知したか否かを判断する（ステップＳ３００）。
【０２００】
以上のようにして、本実施の形態に係る通信システムは、自動応答が可能な通信システムにおいて、カメラ画像を送信することができるので、外部から特定の通信機周辺の映像を確認することができる。映像が確認できると、ユーザは外出先から自宅の内部の状況を確認できる。内部の状況を確認できるので、防犯、介護、ペット状況確認などに本実施の形態に係る通信システムを利用できる。その結果、汎用の電話機からの発呼に対して発呼の時刻にかかわらず識別着信を実現でき、かつ防犯、介護およびペットの状況確認などに利用できる中継装置、通信システム、中継プログラム、および中継プログラムを記録したコンピュータ読取り可能な記録媒体を提供することができる。
【０２０１】
＜第１２の実施の形態＞
以下、本発明の第１２の実施の形態に係る中継装置および通信システムについて説明する。
【０２０２】
図３２を参照して、本実施の形態に係る設定テーブル１４４が記憶する設定の内容について説明する。本実施の形態において、設定テーブル１４４は、電話会社ごとに音声および映像のいずれを通信するか否かを表わす情報を記憶する。図３２の各欄のうち、黒丸が付されている設定が、設定テーブル１４４に記憶されている設定の内容を表わす。白丸が付されている設定は、各欄について選択しうる設定の内容を表わす。これにより、メモリ１２６は、画像を表わす情報および音声を表わす情報のうち、送信する情報を表わす情報を記憶する装置となる。なお、その他のハードウェア構成は前述の第２の実施の形態と同じである。それらのついての機能も同じである。したがって、それらについての詳細な説明はここでは繰返さない。
【０２０３】
図３３を参照して、通信システムで実行されるプログラムは、着信に関し、以下のような制御を実行する。なお、図３３に示すフローチャートの中で、前述の図１１、図３０、および図３１に示した処理は同じステップ番号を付してある。それらの処理も同じである。したがって、それらについての詳細な説明はここでは繰返さない。
【０２０４】
ステップＳ５７０にて、親機２２０のＴＶ電話制御部２４４は、操作検知部１３２が検知した操作および第２ＬＡＮコントローラ２４２が受信した情報の少なくとも一方に基づき、いずれかの端末（親機２２０および子機２２２の少なくとも一方）が着信に応答したか否かを判断する。着信に応答したと判断した場合（ステップＳ５７０にてＹＥＳ）、処理はステップＳ３１０へと移される。もしそうでないと（ステップＳ５７０にてＮＯ）、処理はステップＳ５７１へと移される。
【０２０５】
ステップＳ５７１にて、親機２２０のＴＶ電話制御部２４４は、メモリ１２６が記憶した設定テーブル１４４の内容を参照することにより、自動着信をする旨の設定がなされているか否かを判断する。自動着信をする旨の設定がなされていると判断した場合（ステップＳ５７１にてＹＥＳ）、処理はステップＳ５６０へと移される。もしそうでないと（ステップＳ５７１にてＮＯ）、処理はステップＳ３１４へと移される。
【０２０６】
ステップＳ５７２にて、親機２２０のＴＶ電話制御部２４４は、メモリ１２６が記憶した設定テーブル１４４の内容を参照することにより、音声を送信する旨の設定がなされているか否かを判断する。音声を送信する旨の設定がなされていると判断した場合（ステップＳ５７２にてＹＥＳ）、処理はステップＳ５７４へと移される。もしそうでないと（ステップＳ５７２にてＮＯ）、処理はステップＳ５７６へと移される。
【０２０７】
ステップＳ５７４にて、親機２２０の通信制御部２３２は、音声入出力部２３４が受付けた音声を表わす情報を送信するように、第１ＬＡＮコントローラ２３０を制御する。これにより、ＰＤＡ２１０に対し音声を送信するための経路が接続されたこととなる。
【０２０８】
ステップＳ５７６にて、親機２２０のＴＶ電話制御部２４４は、データ制御部１２８を介して、メモリ１２６が記憶した設定テーブル１４４の内容を参照することにより、音声を受信する旨の設定がなされているか否かを判断する。音声を受信する旨の設定がなされていると判断した場合（ステップＳ５７６にてＹＥＳ）、処理はステップＳ５７８へと移される。もしそうでないと（ステップＳ５７６にてＮＯ）、処理はステップＳ５８０へと移される。
【０２０９】
ステップＳ５７８にて、親機２２０の通信制御部２３２は、ＰＤＡ２１０が送信した音声を表わす情報を受信するように、第１ＬＡＮコントローラ２３０を制御する。親機２２０のＴＶ電話制御部２４４は、第１ＬＡＮコントローラ２３０が受信した音声を表わす情報を音声入出力部２３４が音声として出力するように、音声制御部１１６を制御する。これにより、音声を受信するための経路が接続されたこととなる。
【０２１０】
ステップＳ５８０にて、親機２２０のＴＶ電話制御部２４４は、データ制御部１２８を介して、メモリ１２６が記憶した設定テーブル１４４の内容を参照することにより、映像を送信する旨の設定がなされているか否かを判断する。映像を送信する旨の設定がなされていると判断した場合（ステップＳ５８０にてＹＥＳ）、処理はステップＳ５８２へと移される。もしそうでないと（ステップＳ５８０にてＮＯ）、処理はステップＳ５８４へと移される。
【０２１１】
ステップＳ５８２にて、親機２２０の通信制御部２３２は、映像入力部２３６が受付けた映像（ひいては画像）を表わす情報を送信するように、第１ＬＡＮコントローラ２３０を制御する。これにより、親機２２０がＰＤＡ２１０へ映像を送信するための経路が接続されたこととなる。
【０２１２】
ステップＳ５８４にて、親機２２０のＴＶ電話制御部２４４は、データ制御部１２８を介して、メモリ１２６が記憶した設定テーブル１４４を参照することにより、映像を受信する旨の設定がなされているか否かを判断する。映像を受信する旨の設定がなされていると判断した場合（ステップＳ５８４にてＹＥＳ）、処理はステップＳ５８６へと移される。もしそうでないと（ステップＳ５８４にてＮＯ）、処理はステップＳ５６８へと移される。
【０２１３】
ステップＳ５８６にて、親機２２０の通信制御部２３２は、ＰＤＡ２１０が送信した映像を表わす情報を受信するように、第１ＬＡＮコントローラ２３０を制御する。親機２２０のＴＶ電話制御部２４４は、第１ＬＡＮコントローラ２３０が受信した映像を表わす情報を表示部２３８が映像として表示するように、表示制御部１２４を制御する。これにより、親機２２０がＰＤＡ２１０から映像を受信するための経路が接続されたこととなる。
【０２１４】
以上のような構造およびフローチャートに基づく、通信システムの動作について説明する。
【０２１５】
いずれかの端末が着信に応答しなかったとすると（ステップＳ５７０にてＮＯ）、親機２２０のＴＶ電話制御部２４４は自動着信をする旨の設定がなされているか否かを判断する（ステップＳ５７１）。そのような設定がなされていると判断した場合（ステップＳ５７１にてＹＥＳ）、ステップＳ５６０〜ステップＳ５６４の処理を経て、親機２２０のＴＶ電話制御部２４４は、音声を送信する旨の設定がなされているか否かを判断する（ステップＳ５７２）。この場合、音声を送信する旨の設定がなされているとすると（ステップＳ５７２にてＹＥＳ）、親機２２０の通信制御部２３２は、ＰＤＡ２１０に対し音声を送信するための経路を接続する（ステップＳ５７４）。経路が接続されると、親機２２０のＴＶ電話制御部２４４は、音声を受信する旨の設定がなされているか否かを判断する（ステップＳ５７６）。この場合、音声を受信する旨の設定がなされていると判断したとすると（ステップＳ５７６にてＹＥＳ）、親機２２０の通信制御部２３２は、音声を受信するための経路を接続する（ステップＳ５７８）。経路が接続されると、親機２２０のＴＶ電話制御部２４４は、映像を送信する旨の設定がなされているか否かを判断する（ステップＳ５８０）。この場合、映像を送信する旨の設定がなされていると判断した場合（ステップＳ５８０にてＹＥＳ）、親機２２０の通信制御部２３２は、親機２２０が映像を送信するための経路を接続する（ステップＳ５８２）。経路が接続されると、親機２２０のＴＶ電話制御部２４４は、映像を受信する旨の設定がなされているか否かを判断する（ステップＳ５８４）。この場合、映像を受信する旨の設定がなされているとすると（ステップＳ５８４にてＹＥＳ）、親機２２０の通信制御部２３２は、映像を受信するための経路を接続する（ステップＳ５８６）。これにより、親機２２０の通信制御部２３２およびＴＶ電話制御部２４４は、着呼に応じる旨の情報を受信した後、所定の設定（設定テーブル１４４が記憶する設定）に応じて、画像を表わす情報および音声を表わす情報の少なくとも一方を送信するように、第１ＬＡＮコントローラ２３０を制御する装置となる。
【０２１６】
以上のようにして、本実施の形態に係る通信システムは、音声や映像の送受信を予め設定することにより、不要な音声などを送出することを防止できる。その結果、汎用の電話機からの発呼に対して発呼の時刻にかかわらず識別着信を実現でき、不要な音声の送出などを防止できる中継装置、通信システム、中継プログラム、および中継プログラムを記録したコンピュータ読取り可能な記録媒体を提供することができる。
【０２１７】
なお、第１の変形例として、親機２２０および子機２２２は、上述した処理とは異なる処理により、所定の設定（設定テーブル１４４が記憶する設定）に応じて、画像を表わす情報および音声を表わす情報の少なくとも一方を通信してもよい。
【０２１８】
上述した処理とは異なる処理のうち、第１の処理は、親機２２０が子機２２２に対して、設定テーブル１４４が記憶する設定に対応する情報を要求する処理である。この場合、親機２２０の通信制御部２３２は、着呼に応じる旨の情報を受信した後、設定テーブル１４４が記憶する設定に応じて、画像を表わす情報および音声を表わす情報の少なくとも一方を要求する情報を送信するように、第２ＬＡＮコントローラ２４２を制御する。第２ＬＡＮコントローラ２４２が画像を表わす情報および音声を表わす情報の少なくとも一方を要求する情報を送信すると、子機２２２の通信制御部２６２は、ＬＡＮコントローラ２６０が受信した情報に応じて、画像を表わす情報および音声を表わす情報の少なくとも一方を送信するように、ＬＡＮコントローラ２６０を制御する。画像を表わす情報および音声を表わす情報の少なくとも一方が送信されると、親機２２０の通信制御部２３２は、着呼に応じる旨の情報を受信した後、設定テーブル１４４が記憶する設定に応じて、画像を表わす情報および音声を表わす情報の少なくとも一方を送信するように、第１ＬＡＮコントローラ２３０を制御する。
【０２１９】
上述した処理とは異なる処理のうち、第２の処理は、子機２２２が設定テーブル１４４を参照し、必要な情報を送信する処理である。この場合、設定テーブル１４４は、子機２２２のメモリ２６４に含まれる。図３４および図３５に、この場合の親機２２０および子機２２２の制御ブロック図を示す。子機２２２の通信制御部２６２は、着呼に応じる旨の情報を受信した後、設定テーブル１４４が記憶する設定に応じて、画像を表わす情報および音声を表わす情報の少なくとも一方を送信するように、ＬＡＮコントローラ２６０を制御する装置となる。
【０２２０】
また、第２の変形例として、親機２２０および子機２２２は、次の手順のいずれかで、親機２２０から子機２２２へ情報を通信してもよい。
【０２２１】
第１の手順は、親機２２０の通信制御部２３２が、設定テーブル１４４が記憶する設定に応じて、画像を表わす情報および音声を表わす情報の少なくとも一方を送信するように、第２ＬＡＮコントローラ２４２を制御する手順である。この場合、設定テーブル１４４は、親機２２０のメモリ１２６に含まれる。
【０２２２】
第２の手順は、子機２２２のＴＶ電話制御部２４４が、設定テーブル１４４が記憶する設定に応じて、ＬＡＮコントローラ２６０が受信した画像を表わす情報および音声を表わす情報の少なくとも一方を映像や音声として出力するように、音声入出力部２３４または表示部２３８を制御する手順である。この場合、設定テーブル１４４は、子機２２２のメモリ２６４に含まれる。
【０２２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２２４】
【図１】本発明の第１の実施の形態に係る通信システムの全体構成図である。
【図２】本発明の第１の実施の形態に係る親機の制御ブロック図である。
【図３】本発明の第１の実施の形態に係る着信順テーブルの内容を表わす図である。
【図４】本発明の第１の実施の形態に係る子機の制御ブロック図である。
【図５】本発明の第１の実施の形態に係る着信処理の制御の手順を示すフローチャートである。
【図６】本発明の第１の実施の形態に係るＰＤＡと親機との間の信号の授受を表わす図である。
【図７】本発明の第２の実施の形態に係る通信システムの全体構成図である。
【図８】本発明の第２の実施の形態に係る親機の制御ブロック図である。
【図９】本発明の第２の実施の形態に係る子機の制御ブロック図である。
【図１０】本発明の第２の実施の形態に係る子機の外観図である。
【図１１】本発明の第２の実施の形態に係る着信処理の制御の手順を示すフローチャートである。
【図１２】本発明の第３の実施の形態に係る着信処理の制御の手順を示すフローチャートである。
【図１３】本発明の第４の実施の形態に係る通信システムの全体構成図である。
【図１４】本発明の第４の実施の形態に係る親機の制御ブロック図である。
【図１５】本発明の第４の実施の形態に係る着信処理の制御手順を表わすフローチャートである。
【図１６】本発明の第５の実施の形態に係る着信処理の制御の手順を示すフローチャートである。
【図１７】本発明の第６の実施の形態に係る通信システムの全体構成図である。
【図１８】本発明の第６の実施の形態に係るルータの制御ブロック図である。
【図１９】本発明の第６の実施の形態に係る子機の制御ブロック図である。
【図２０】本発明の第６の実施の形態に係る着信処理の制御の手順を示すフローチャートである。
【図２１】本発明の第７の実施の形態に係る通信システムの全体構成図である。
【図２２】本発明の第７の実施の形態に係る親機の制御ブロック図である。
【図２３】本発明の第７の実施の形態に係る子機の制御ブロック図である。
【図２４】本発明の第７の実施の形態に係る着信処理の制御の手順を示すフローチャートである。
【図２５】本発明の第８の実施の形態に係る通信システムの全体構成図である。
【図２６】本発明の第８の実施の形態に係る親機の制御ブロック図である。
【図２７】本発明の第８の実施の形態に係る着信処理の制御の手順を示すフローチャートである。
【図２８】本発明の第９の実施の形態に係る通信システムの全体構成図である。
【図２９】本発明の第９の実施の形態に係る着信処理の制御の手順を示すフローチャートである。
【図３０】本発明の第１０の実施の形態に係る着信処理の制御の手順を示すフローチャートである。
【図３１】本発明の第１１の実施の形態に係る着信処理の制御の手順を示すフローチャートである。
【図３２】本発明の第１２の実施の形態に係る親機の設定テーブルの内容を表わす図である。
【図３３】本発明の第１２の実施の形態に係る着信処理の制御の手順を示すフローチャートである。
【図３４】本発明の第１２の実施の形態の変形例に係る親機の制御ブロック図である。
【図３５】本発明の第１２の実施の形態の変形例に係る子機の制御ブロック図である。
【符号の説明】
【０２２５】
１００，２１０  ＰＤＡ、１０２，２２０，２２４，４５２，５１０  親機、１０４，２２２，３５２，４５４  子機、１１０  アナログインターフェイス、１１２，１６０，２３２，２６２  通信制御部、１１４，１６２，２３４，４００  音声入出力部、１１６，１６４，４０２  音声制御部、１１８，１６６，２３６  映像入力部、１２０，１６８  映像制御部、１２２，１７０，２３８  表示部、１２４，１７２  表示制御部、１２６，１７４，２６４，４０４  メモリ、１２８，１７６，４０６  データ制御部、１３０，１７８，２４０  操作部、１３２，１８０  操作検知部、１３４，１８２  アナログコードレスコントローラ、１３６，１８４，２４４，２６６  ＴＶ電話制御部、１３８  メモリカード駆動装置、１４０，２５０  着信検知部、１４２  着信順テーブル、１４４  設定テーブル、１５０  発信者検知部、１５５  メモリカード、２３０  第１ＬＡＮコントローラ、２４２  第２ＬＡＮコントローラ、２４６，４１０  タイマ、２４８  カウンタ、２６０，４１２，４５５  ＬＡＮコントローラ、３５０  ルータ、４０８  メイン制御部、４５０  ハブ、５２０  第１アナログインターフェイス、５２２  第２アナログインターフェイス。
【図１】
0004624238.tif 000002
【図２】
0004624238.tif 000003
【図３】
0004624238.tif 000004
【図４】
0004624238.tif 000005
【図５】
0004624238.tif 000006
【図６】
0004624238.tif 000007
【図７】
0004624238.tif 000008
【図８】
0004624238.tif 000009
【図９】
0004624238.tif 000010
【図１０】
0004624238.tif 000011
【図１１】
0004624238.tif 000012
【図１２】
0004624238.tif 000013
【図１３】
0004624238.tif 000014
【図１４】
0004624238.tif 000015
【図１５】
0004624238.tif 000016
【図１６】
0004624238.tif 000017
【図１７】
0004624238.tif 000018
【図１８】
0004624238.tif 000019
【図１９】
0004624238.tif 000020
【図２０】
0004624238.tif 000021
【図２１】
0004624238.tif 000022
【図２２】
0004624238.tif 000023
【図２３】
0004624238.tif 000024
【図２４】
0004624238.tif 000025
【図２５】
0004624238.tif 000026
【図２６】
0004624238.tif 000027
【図２７】
0004624238.tif 000028
【図２８】
0004624238.tif 000029
【図２９】
0004624238.tif 000030
【図３０】
0004624238.tif 000031
【図３１】
0004624238.tif 000032
【図３２】
0004624238.tif 000033
【図３３】
0004624238.tif 000034
【図３４】
0004624238.tif 000035
【図３５】
0004624238.tif 000036